(57)【特許請求の範囲】
【請求項１】
店舗に設けられ、商品の購入を希望するユーザを特定するためのユーザ特定情報と、該ユーザが購入を希望する商品を陳列する店舗を特定するための店舗特定情報と、該ユーザが購入を希望する商品を特定するための商品特定情報とが読み出し可能に保持される店舗端末装置および携帯可能なモバイル端末装置にネットワークを介して接続され、電子コンテンツの販売を行うコンテンツ販売サーバ装置であって、
ユーザ特定情報と、店舗特定情報と、商品特定情報とを店舗端末装置から取得する取得部と、
取得部が取得したユーザ特定情報と、店舗特定情報と、商品特定情報とを関連付けて記憶する記憶部と、
モバイル端末装置から該モバイル端末装置のユーザのユーザ特定情報を受信するユーザ特定情報受信部と、
記憶部に記憶された商品特定情報から、ユーザ特定情報受信部によって受信されたユーザ特定情報に関連付けられた商品特定情報を抽出する商品抽出部と、
商品抽出部によって抽出された商品特定情報によって特定される商品と同じ内容の電子コンテンツを特定するためのコンテンツ特定情報を特定するコンテンツ特定部と、
コンテンツ特定部によって特定されたコンテンツ特定情報をモバイル端末装置に送信する送信部と、
送信部によって送信されたコンテンツ特定情報から選択されたコンテンツ特定情報を受信するコンテンツ特定情報受信部と、
コンテンツ特定情報受信部によって受信されたコンテンツ特定情報によって特定される電子コンテンツの販売を電子的に行う販売部と、
前記コンテンツ特定部がコンテンツ特定情報を特定することができないとき、商品特定情報によって特定される商品のタイトルを特定するタイトル特定部とを含み、
前記送信部は、タイトル特定部が特定した商品のタイトルをモバイル端末装置に送信することを特徴とするコンテンツ販売サーバ装置。
【請求項２】
前記記憶部に記憶される店舗特定情報から、前記商品抽出部によって抽出された商品特定情報に関連付けられた店舗特定情報を抽出する店舗抽出部をさらに含み、
前記記憶部は、前記販売部によって販売された電子コンテンツのコンテンツ特定情報と、店舗抽出部によって抽出された店舗特定情報とを関連付けて記憶することを特徴とする請求項１に記載のコンテンツ販売サーバ装置。
【請求項３】
前記取得部は、モバイル端末装置から該モバイル端末装置を特定するためのモバイル端末特定情報を取得し、
前記取得部によって取得されたモバイル端末特定情報に基づいて、ユーザ特定情報を特定するユーザ特定部をさらに含み、
前記商品抽出部は、前記記憶部に記憶された商品特定情報から、ユーザ特定情報受信部によって受信されたユーザ特定情報に代えて、ユーザ特定部によって特定されたユーザ特定情報に関連付けられた商品特定情報を抽出することを特徴とする請求項１に記載のコンテンツ販売サーバ装置。
【請求項４】
前記記憶部は、ユーザのクレジットカードに付与されたクレジットカード番号と、ユーザ特定情報と、ユーザ特定情報の正当性を確認するためのユーザ確認情報とを関連付けて記憶し、
モバイル端末装置からユーザ確認情報をさらに受信するユーザ確認情報受信部をさらに含み、
前記販売部は、ユーザ確認情報受信部が受信したユーザ確認情報が前記記憶部に記憶されるユーザ確認情報に一致すると、前記記憶部に記憶されるクレジットカード番号を用いて、電子コンテンツの代金の精算を行うことを特徴とする請求項１に記載のコンテンツ販売サーバ装置。
【請求項５】
前記取得部が取得したユーザ特定情報は、前記店舗端末装置によってユーザに付与され、該ユーザのモバイル端末装置に記憶された情報であることを特徴とする請求項１に記載のコンテンツ販売サーバ装置。
【請求項６】
前記取得部は、モバイル端末装置から該モバイル端末装置のモバイル端末特定情報をユーザ特定情報とともに取得し、
前記記憶部は、前記取得部が取得したモバイル端末特定情報を該モバイル端末特定情報とともに取得したユーザ特定情報と関連付けて記憶し、
前記ユーザ特定部は、前記記憶部に記憶されるユーザ特定情報から、前記取得部によって取得されたモバイル端末特定情報に関連付けられたユーザ特定情報を抽出することによって、ユーザ特定情報を特定することを特徴とする請求項３に記載のコンテンツ販売サーバ装置。
【請求項７】
前記送信部は、前記コンテンツ特定部によって特定されたコンテンツ特定情報と、コンテンツ特定情報に対応する商品のタイトルおよび商品の価格とを含むコンテンツリストをモバイル端末装置に送信し、
前記コンテンツ特定情報受信部は、前記送信部によって送信されたコンテンツリストから選択されたコンテンツ特定情報を受信し、
前記販売部は、前記コンテンツ特定情報受信部によって受信されたコンテンツ特定情報によって特定される電子コンテンツの販売を電子的に行い、
前記コンテンツ特定部がコンテンツ特定情報を特定することができないときには、前記コンテンツリストは、前記タイトル特定部が特定した商品のタイトルを含むことを特徴とする請求項１に記載のコンテンツ販売サーバ装置。
【請求項８】
前記記憶部は、商品特定情報と、該商品特定情報によって特定される商品と同じ内容の電子コンテンツを特定するためのコンテンツ特定情報とを関連付けて記憶し、
前記コンテンツ特定部は、前記記憶部に記憶されるコンテンツ特定情報から、前記商品抽出部によって抽出された商品特定情報に関連付けられたコンテンツ特定情報を抽出することによって、コンテンツ特定情報を特定することを特徴とする請求項１に記載のコンテンツ販売サーバ装置。
【請求項９】
店舗端末装置、モバイル端末装置および請求項１に記載されるコンテンツ販売サーバ装置を含むコンテンツ販売システムであって、
前記店舗端末装置は、
ユーザ特定情報、店舗特定情報および商品特定情報を取得する特定情報取得部と、
特定情報取得部が取得したユーザ特定情報と、店舗特定情報と、商品特定情報とを関連付けて記憶する店舗端末記憶部と、
店舗端末記憶部に記憶されるユーザ特定情報、店舗特定情報および商品特定情報をコンテンツ販売サーバ装置に送信する店舗端末送信部とを含み、
前記モバイル端末装置は、
ユーザ特定情報を記憶するモバイル端末記憶部と、
モバイル端末記憶部に記憶されるユーザ特定情報をコンテンツ販売サーバ装置に送信するモバイル端末送信部と、
コンテンツ販売サーバ装置から前記選択されたコンテンツ特定情報を受信するモバイル端末受信部と、
モバイル端末受信部によって受信されたコンテンツ特定情報を表示する表示部と、
表示部に表示されたコンテンツ特定情報から購入する電子コンテンツのコンテンツ特定情報を選択する選択部とを含み、
モバイル端末送信部は、選択部によって選択されたコンテンツ特定情報をコンテンツ販売サーバ装置に送信することを特徴とするコンテンツ販売システム。
【請求項１０】
店舗端末装置、モバイル端末装置および請求項１に記載されるコンテンツ販売サーバ装置を含むコンテンツ販売システムであって、
前記店舗端末装置は、
店舗特定情報および商品特定情報を取得する特定情報取得部と、
特定情報取得部が取得した、店舗特定情報と商品特定情報とを関連付けて記憶する店舗端末記憶部と、
モバイル端末装置からユーザ特定情報を受信する店舗端末受信部と、
店舗端末受信部によって受信されたユーザ特定情報、ならびに店舗端末記憶部に記憶される店舗特定情報および商品特定情報をコンテンツ販売サーバ装置に送信する店舗端末送信部とを含み、
前記モバイル端末装置は、
ユーザ特定情報を記憶するモバイル端末記憶部と、
モバイル端末記憶部に記憶されるユーザ特定情報を、店舗端末装置およびコンテンツ販売サーバ装置に送信するモバイル端末送信部と、
コンテンツ販売サーバ装置から前記選択されたコンテンツ特定情報を受信するモバイル端末受信部と、
モバイル端末受信部によって受信されたコンテンツ特定情報を表示する表示部と、
表示部に表示されたコンテンツ特定情報から購入する電子コンテンツのコンテンツ特定情報を選択する選択部とを含み、
モバイル端末送信部は、選択部によって選択された電子コンテンツ特定情報をコンテンツ販売サーバ装置に送信することを特徴とするコンテンツ販売システム。
【請求項１１】
店舗に設けられ、商品の購入を希望するユーザを特定するためのユーザ特定情報と、該ユーザが購入を希望する商品を陳列する店舗を特定するための店舗特定情報と、該ユーザが購入を希望する商品を特定するための商品特定情報とが読み出し可能に保持される店舗端末装置および携帯可能なモバイル端末装置にネットワークを介して接続され、電子コンテンツの販売を行うコンテンツ販売サーバ装置で実行されるコンテンツ販売方法あって、
ユーザ特定情報と、店舗特定情報と、商品特定情報とを店舗端末装置から取得する取得ステップと、
取得ステップで取得したユーザ特定情報と、店舗特定情報と、商品特定情報とを関連付けて記憶する記憶ステップと、
モバイル端末装置から該モバイル端末装置のユーザのユーザ特定情報を受信するユーザ特定情報受信ステップと、
記憶ステップで記憶された商品特定情報から、ユーザ特定情報受信ステップで受信されたユーザ特定情報に関連付けられた商品特定情報を抽出する商品抽出ステップと、
商品抽出ステップで抽出された商品特定情報によって特定される商品と同じ内容の電子コンテンツを特定するためのコンテンツ特定情報を特定するコンテンツ特定ステップと、
前記コンテンツ特定情報を特定することができないとき、商品特定情報によって特定される商品のタイトルを特定するタイトル特定ステップと、
コンテンツ特定ステップで特定されたコンテンツ特定情報またはタイトル特定部が特定した商品のタイトルの少なくともいずれかをモバイル端末装置に送信する送信ステップと、
送信ステップで送信されたコンテンツ特定情報から選択されたコンテンツ特定情報を受信するコンテンツ特定情報受信ステップと、
コンテンツ特定情報受信ステップで受信されたコンテンツ特定情報によって特定される電子コンテンツの販売を電子的に行う販売ステップとを含むことを特徴とするコンテンツ販売方法。
【請求項１２】
店舗に設けられ、商品の購入を希望するユーザを特定するためのユーザ特定情報と、該ユーザが購入を希望する商品を陳列する店舗を特定するための店舗特定情報と、該ユーザが購入を希望する商品を特定するための商品特定情報とが読み出し可能に保持される店舗端末装置および携帯可能なモバイル端末装置にネットワークを介して接続され、コンピュータを含み、電子コンテンツの販売を行うコンテンツ販売サーバ装置のコンピュータに、
ユーザ特定情報と、店舗特定情報と、商品特定情報とを店舗端末装置から取得する取得ステップと、
取得ステップで取得したユーザ特定情報と、店舗特定情報と、商品特定情報とを関連付けて記憶する記憶ステップと、
モバイル端末装置から該モバイル端末装置のユーザのユーザ特定情報を受信するユーザ特定情報受信ステップと、
記憶ステップで記憶された商品特定情報から、ユーザ特定情報受信ステップで受信されたユーザ特定情報に関連付けられた商品特定情報を抽出する商品抽出ステップと、
商品抽出ステップで抽出された商品特定情報によって特定される商品と同じ内容の電子コンテンツを特定するためのコンテンツ特定情報を特定するコンテンツ特定ステップと、
前記コンテンツ特定情報を特定することができないとき、商品特定情報によって特定される商品のタイトルを特定するタイトル特定ステップと、
コンテンツ特定ステップで特定されたコンテンツ特定情報またはタイトル特定部が特定した商品のタイトルの少なくともいずれかをモバイル端末装置に送信する送信ステップと、
送信ステップで送信されたコンテンツ特定情報から選択されたコンテンツ特定情報を受信するコンテンツ特定情報受信ステップと、
コンテンツ特定情報受信ステップで受信されたコンテンツ特定情報によって特定される電子コンテンツの販売を電子的に行う販売ステップとを実行させるためのプログラム。
【発明の詳細な説明】
【技術分野】
【０００１】
本発明は、ネットワークを介して電子コンテンツを販売するコンテンツ販売サーバ装置、コンテンツ販売システム、コンテンツ販売方法およびプログラムに関する。
【背景技術】
【０００２】
ユーザが、書籍や音楽コンパクトディスク（以下「ＣＤ」という）などの商品を販売する店舗で、購入希望の商品を店舗の端末装置に登録しておき、ユーザが所有するモバイル端末装置から、店舗の端末装置に登録した商品の内容と同じ内容の電子コンテンツの一覧を参照し、その電子コンテンツ一覧の中からいずれかを購入すると、購入した代金の一部が、商品を登録した店舗に支払われるコンテンツ販売システムがある。
【０００３】
従来技術として、特許文献１に記載されるコンテンツ購入販売装置がある。このコンテンツ購入販売装置が実装されるコンテンツ配信サーバは、利用者の端末装置から、ネットワークを介して実行されるコンテンツの購入販売のための流通経路に含まれる販売店の認識情報である販売店コード、利用者によって購入希望があると決定されたコンテンツを特定するコンテンツコード、およびその利用者の利用者識別情報（Identification：略称「ＩＤ」）を受信して記憶しておく。販売店コード、コンテンツコード、および利用者ＩＤは、販売店で利用者の端末装置によって読み取られたものである。コンテンツ配信サーバは、利用者の端末装置から、コンテンツの発注指示があったとき、利用者ＩＤによって利用者認証を行い、記憶したコンテンツコードが示すコンテンツを利用者の端末装置へダウンロードし、コンテンツの売り上げの一部を記憶した販売店コードが示す販売店に還元する。
【先行技術文献】
【特許文献】
【０００４】
【特許文献１】特開２００４−２８０５８０号公報
【発明の概要】
【発明が解決しようとする課題】
【０００５】
しかしながら、従来技術では、利用者、つまりユーザが販売店コードを端末装置によって読み取ってコンテンツ配信サーバに送信する必要がある。すなわち、本来ユーザが意識する必要のない情報についてユーザによる操作が求められている。
【０００６】
また、従来技術は、店舗にある書籍や音楽ＣＤなどの商品と同じ内容の電子コンテンツを販売する場合については、考慮されていない。すなわち、商品を識別するための商品ＩＤと、電子コンテンツを識別するためのコンテンツＩＤとは必ずしも一致するとは限らず、どのように対応付けるかについては、考慮されていない。
【０００７】
本発明の目的は、商品と同じ内容の電子コンテンツを購入することができるコンテンツ販売サーバ装置、コンテンツ販売システム、コンテンツ販売方法およびプログラムを提供することである。
【課題を解決するための手段】
【０００８】
本発明は、店舗に設けられ、商品の購入を希望するユーザを特定するためのユーザ特定情報と、該ユーザが購入を希望する商品を陳列する店舗を特定するための店舗特定情報と、該ユーザが購入を希望する商品を特定するための商品特定情報とが読み出し可能に保持される店舗端末装置および携帯可能なモバイル端末装置にネットワークを介して接続され、電子コンテンツの販売を行うコンテンツ販売サーバ装置であって、
ユーザ特定情報と、店舗特定情報と、商品特定情報とを店舗端末装置から取得する取得部と、
取得部が取得したユーザ特定情報と、店舗特定情報と、商品特定情報とを関連付けて記憶する記憶部と、
モバイル端末装置から該モバイル端末装置のユーザのユーザ特定情報を受信するユーザ特定情報受信部と、
記憶部に記憶された商品特定情報から、ユーザ特定情報受信部によって受信されたユーザ特定情報に関連付けられた商品特定情報を抽出する商品抽出部と、
商品抽出部によって抽出された商品特定情報によって特定される商品と同じ内容の電子コンテンツを特定するためのコンテンツ特定情報を特定するコンテンツ特定部と、
コンテンツ特定部によって特定されたコンテンツ特定情報をモバイル端末装置に送信する送信部と、
送信部によって送信されたコンテンツ特定情報から選択されたコンテンツ特定情報を受信するコンテンツ特定情報受信部と、
コンテンツ特定情報受信部によって受信されたコンテンツ特定情報によって特定される電子コンテンツの販売を電子的に行う販売部と、
前記コンテンツ特定部がコンテンツ特定情報を特定することができないとき、商品特定情報によって特定される商品のタイトルを特定するタイトル特定部とを含み、
前記送信部は、タイトル特定部が特定した商品のタイトルをモバイル端末装置に送信することを特徴とするコンテンツ販売サーバ装置である。
【０００９】
また本発明は、前記記憶部に記憶される店舗特定情報から、前記商品抽出部によって抽出された商品特定情報に関連付けられた店舗特定情報を抽出する店舗抽出部をさらに含み、
前記記憶部は、前記販売部によって販売された電子コンテンツのコンテンツ特定情報と、店舗抽出部によって抽出された店舗特定情報とを関連付けて記憶することを特徴とする。
【００１０】
また本発明は、前記取得部は、モバイル端末装置から該モバイル端末装置を特定するためのモバイル端末特定情報を取得し、
前記取得部によって取得されたモバイル端末特定情報に基づいて、ユーザ特定情報を特定するユーザ特定部をさらに含み、
前記商品抽出部は、前記記憶部に記憶された商品特定情報から、ユーザ特定情報受信部によって受信されたユーザ特定情報に代えて、ユーザ特定部によって特定されたユーザ特定情報に関連付けられた商品特定情報を抽出することを特徴とする。
【００１１】
また本発明は、前記記憶部は、ユーザのクレジットカードに付与されたクレジットカード番号と、ユーザ特定情報と、ユーザ特定情報の正当性を確認するためのユーザ確認情報とを関連付けて記憶し、
モバイル端末装置からユーザ確認情報をさらに受信するユーザ確認情報受信部をさらに含み、
前記販売部は、ユーザ確認情報受信部が受信したユーザ確認情報が前記記憶部に記憶されるユーザ確認情報に一致すると、前記記憶部に記憶されるクレジットカード番号を用いて、電子コンテンツの代金の精算を行うことを特徴とする。
【００１２】
また本発明は、前記取得部が取得したユーザ特定情報は、前記店舗端末装置によってユーザに付与され、該ユーザのモバイル端末装置に記憶された情報であることを特徴とする。
【００１３】
また本発明は、前記取得部は、モバイル端末装置から該モバイル端末装置のモバイル端末特定情報をユーザ特定情報とともに取得し、
前記記憶部は、前記取得部が取得したモバイル端末特定情報を該モバイル端末特定情報とともに取得したユーザ特定情報と関連付けて記憶し、
前記ユーザ特定部は、前記記憶部に記憶されるユーザ特定情報から、前記取得部によって取得されたモバイル端末特定情報に関連付けられたユーザ特定情報を抽出することによって、ユーザ特定情報を特定することを特徴とする。
【００１４】
また本発明は、前記送信部は、前記コンテンツ特定部によって特定されたコンテンツ特定情報と、コンテンツ特定情報に対応する商品のタイトルおよび商品の価格とを含むコンテンツリストをモバイル端末装置に送信し、
前記コンテンツ特定情報受信部は、前記送信部によって送信されたコンテンツリストから選択されたコンテンツ特定情報を受信し、
前記販売部は、前記コンテンツ特定情報受信部によって受信されたコンテンツ特定情報によって特定される電子コンテンツの販売を電子的に行い、
前記コンテンツ特定部がコンテンツ特定情報を特定することができないときには、前記コンテンツリストは、前記タイトル特定部が特定した商品のタイトルを含むことを特徴とする。
【００１５】
また本発明は、前記記憶部は、商品特定情報と、該商品特定情報によって特定される商品と同じ内容の電子コンテンツを特定するためのコンテンツ特定情報とを関連付けて記憶し、
前記コンテンツ特定部は、前記記憶部に記憶されるコンテンツ特定情報から、前記商品抽出部によって抽出された商品特定情報に関連付けられたコンテンツ特定情報を抽出することによって、コンテンツ特定情報を特定することを特徴とする。
【００１６】
また本発明は、店舗端末装置、モバイル端末装置および前記コンテンツ販売サーバ装置を含むコンテンツ販売システムであって、
前記店舗端末装置は、
ユーザ特定情報、店舗特定情報および商品特定情報を取得する特定情報取得部と、
特定情報取得部が取得したユーザ特定情報と、店舗特定情報と、商品特定情報とを関連付けて記憶する店舗端末記憶部と、
店舗端末記憶部に記憶されるユーザ特定情報、店舗特定情報および商品特定情報をコンテンツ販売サーバ装置に送信する店舗端末送信部とを含み、
前記モバイル端末装置は、
ユーザ特定情報を記憶するモバイル端末記憶部と、
モバイル端末記憶部に記憶されるユーザ特定情報をコンテンツ販売サーバ装置に送信するモバイル端末送信部と、
コンテンツ販売サーバ装置から前記選択されたコンテンツ特定情報を受信するモバイル端末受信部と、
モバイル端末受信部によって受信されたコンテンツ特定情報を表示する表示部と、
表示部に表示されたコンテンツ特定情報から購入する電子コンテンツのコンテンツ特定情報を選択する選択部とを含み、
モバイル端末送信部は、選択部によって選択されたコンテンツ特定情報をコンテンツ販売サーバ装置に送信することを特徴とするコンテンツ販売システムである。
【００１７】
また本発明は、店舗端末装置、モバイル端末装置および前記コンテンツ販売サーバ装置を含むコンテンツ販売システムであって、
前記店舗端末装置は、
店舗特定情報および商品特定情報を取得する特定情報取得部と、
特定情報取得部が取得した、店舗特定情報と商品特定情報とを関連付けて記憶する店舗端末記憶部と、
モバイル端末装置からユーザ特定情報を受信する店舗端末受信部と、
店舗端末受信部によって受信されたユーザ特定情報、ならびに店舗端末記憶部に記憶される店舗特定情報および商品特定情報をコンテンツ販売サーバ装置に送信する店舗端末送信部とを含み、
前記モバイル端末装置は、
ユーザ特定情報を記憶するモバイル端末記憶部と、
モバイル端末記憶部に記憶されるユーザ特定情報を、店舗端末装置およびコンテンツ販売サーバ装置に送信するモバイル端末送信部と、
コンテンツ販売サーバ装置から前記選択されたコンテンツ特定情報を受信するモバイル端末受信部と、
モバイル端末受信部によって受信されたコンテンツ特定情報を表示する表示部と、
表示部に表示されたコンテンツ特定情報から購入する電子コンテンツのコンテンツ特定情報を選択する選択部とを含み、
モバイル端末送信部は、選択部によって選択された電子コンテンツ特定情報をコンテンツ販売サーバ装置に送信することを特徴とするコンテンツ販売システムである。
【００１８】
また本発明は、店舗に設けられ、商品の購入を希望するユーザを特定するためのユーザ特定情報と、該ユーザが購入を希望する商品を陳列する店舗を特定するための店舗特定情報と、該ユーザが購入を希望する商品を特定するための商品特定情報とが読み出し可能に保持される店舗端末装置および携帯可能なモバイル端末装置にネットワークを介して接続され、電子コンテンツの販売を行うコンテンツ販売サーバ装置で実行されるコンテンツ販売方法あって、
ユーザ特定情報と、店舗特定情報と、商品特定情報とを店舗端末装置から取得する取得ステップと、
取得ステップで取得したユーザ特定情報と、店舗特定情報と、商品特定情報とを関連付けて記憶する記憶ステップと、
モバイル端末装置から該モバイル端末装置のユーザのユーザ特定情報を受信するユーザ特定情報受信ステップと、
記憶ステップで記憶された商品特定情報から、ユーザ特定情報受信ステップで受信されたユーザ特定情報に関連付けられた商品特定情報を抽出する商品抽出ステップと、
商品抽出ステップで抽出された商品特定情報によって特定される商品と同じ内容の電子コンテンツを特定するためのコンテンツ特定情報を特定するコンテンツ特定ステップと、
前記コンテンツ特定情報を特定することができないとき、商品特定情報によって特定される商品のタイトルを特定するタイトル特定ステップと、
コンテンツ特定ステップで特定されたコンテンツ特定情報またはタイトル特定部が特定した商品のタイトルの少なくともいずれかをモバイル端末装置に送信する送信ステップと、
送信ステップで送信されたコンテンツ特定情報から選択されたコンテンツ特定情報を受信するコンテンツ特定情報受信ステップと、
コンテンツ特定情報受信ステップで受信されたコンテンツ特定情報によって特定される電子コンテンツの販売を電子的に行う販売ステップとを含むことを特徴とするコンテンツ販売方法である。
【００１９】
また本発明は、店舗に設けられ、商品の購入を希望するユーザを特定するためのユーザ特定情報と、該ユーザが購入を希望する商品を陳列する店舗を特定するための店舗特定情報と、該ユーザが購入を希望する商品を特定するための商品特定情報とが読み出し可能に保持される店舗端末装置および携帯可能なモバイル端末装置にネットワークを介して接続され、コンピュータを含み、電子コンテンツの販売を行うコンテンツ販売サーバ装置のコンピュータに、
ユーザ特定情報と、店舗特定情報と、商品特定情報とを店舗端末装置から取得する取得ステップと、
取得ステップで取得したユーザ特定情報と、店舗特定情報と、商品特定情報とを関連付けて記憶する記憶ステップと、
モバイル端末装置から該モバイル端末装置のユーザのユーザ特定情報を受信するユーザ特定情報受信ステップと、
記憶ステップで記憶された商品特定情報から、ユーザ特定情報受信ステップで受信されたユーザ特定情報に関連付けられた商品特定情報を抽出する商品抽出ステップと、
商品抽出ステップで抽出された商品特定情報によって特定される商品と同じ内容の電子コンテンツを特定するためのコンテンツ特定情報を特定するコンテンツ特定ステップと、
前記コンテンツ特定情報を特定することができないとき、商品特定情報によって特定される商品のタイトルを特定するタイトル特定ステップと、
コンテンツ特定ステップで特定されたコンテンツ特定情報またはタイトル特定部が特定した商品のタイトルの少なくともいずれかをモバイル端末装置に送信する送信ステップと、
送信ステップで送信されたコンテンツ特定情報から選択されたコンテンツ特定情報を受信するコンテンツ特定情報受信ステップと、
コンテンツ特定情報受信ステップで受信されたコンテンツ特定情報によって特定される電子コンテンツの販売を電子的に行う販売ステップとを実行させるためのプログラムである。
【発明の効果】
【００２０】
本発明によれば、店舗に設けられ、商品の購入を希望するユーザを特定するためのユーザ特定情報と、該ユーザが購入を希望する商品を陳列する店舗を特定するための店舗特定情報と、該ユーザが購入を希望する商品を特定するための商品特定情報とが読み出し可能に保持される店舗端末装置および携帯可能なモバイル端末装置にネットワークを介して接続され、電子コンテンツの販売を行うコンテンツ販売サーバ装置で電子コンテンツの販売を行うにあたって、取得部は、ユーザ特定情報と、店舗特定情報と、商品特定情報とを店舗端末装置から取得する。記憶部は、取得部が取得したユーザ特定情報と、店舗特定情報と、商品特定情報とを関連付けて記憶する。ユーザ特定情報受信部は、モバイル端末装置から該モバイル端末装置のユーザのユーザ特定情報を受信する。商品抽出部は、記憶部に記憶された商品特定情報から、ユーザ特定情報受信部によって受信されたユーザ特定情報に関連付けられた商品特定情報を抽出する。コンテンツ特定部は、商品抽出部によって抽出された商品特定情報によって特定される商品と同じ内容の電子コンテンツを特定するためのコンテンツ特定情報を特定する。送信部は、コンテンツ特定部によって特定されたコンテンツ特定情報をモバイル端末装置に送信する。コンテンツ特定情報受信部は、送信部によって送信されたコンテンツ特定情報から選択されたコンテンツ特定情報を受信する。そして、販売部は、コンテンツ特定情報受信部によって受信されたコンテンツ特定情報によって特定される電子コンテンツの販売を電子的に行う。したがって、ユーザは、店舗を特定するための特定情報を意識しなくても、商品と同じ内容の電子コンテンツを購入することができる。
またタイトル特定部は、前記コンテンツ特定部がコンテンツ特定情報を特定することができないとき、商品特定情報によって特定される商品のタイトルを特定し、送信部は、タイトル特定部が特定した商品のタイトルをモバイル端末装置に送信する。したがって、ユーザは、電子コンテンツのない商品についても、商品のタイトルなどの商品に関する情報を知ることができる。
【００２１】
また本発明によれば、店舗抽出部は、前記記憶部に記憶される店舗特定情報から、前記商品抽出部によって抽出された商品特定情報に関連付けられた店舗特定情報を抽出する。そして、前記記憶部は、前記販売部によって販売された電子コンテンツのコンテンツ特定情報と、店舗抽出部によって抽出された店舗特定情報とを関連付けて記憶する。したがって、コンテンツ販売サーバ装置は、購入された電子コンテンツの代金の一部を還元する店舗を特定することができる。
【００２２】
また本発明によれば、前記取得部は、モバイル端末装置から該モバイル端末装置を特定するためのモバイル端末特定情報を取得する。ユーザ特定部は、前記取得部によって取得されたモバイル端末特定情報に基づいて、ユーザ特定情報を特定する。そして、前記商品抽出部は、前記記憶部に記憶された商品特定情報から、ユーザ特定情報受信部によって受信されたユーザ特定情報に代えて、ユーザ特定部によって特定されたユーザ特定情報に関連付けられた商品特定情報を抽出する。したがって、ユーザは、ユーザ特定情報を入力することなく、電子コンテンツを購入することができる。
【００２３】
また本発明によれば、前記記憶部は、ユーザのクレジットカードに付与されたクレジットカード番号と、ユーザ特定情報と、ユーザ特定情報の正当性を確認するためのユーザ確認情報とを関連付けて記憶する。ユーザ確認情報受信部は、モバイル端末装置からユーザ確認情報をさらに受信する。そして、前記販売部は、ユーザ確認情報受信部が受信したユーザ確認情報が前記記憶部に記憶されるユーザ確認情報に一致すると、前記記憶部に記憶されるクレジットカード番号を用いて、電子コンテンツの代金の精算を行う。したがって、ユーザは、クレジットカード情報を入力することなく、パスワードのみで、購入する電子コンテンツに精算を行うことができる。
【００２４】
また本発明によれば、前記取得部が取得したユーザ特定情報は、前記店舗端末装置によってユーザに付与され、該ユーザのモバイル端末装置に記憶された情報である。したがって、コンテンツ販売サーバ装置は、店舗から付与されたユーザ特定情報をモバイル端末から取得することができる。
【００２５】
また本発明によれば、前記取得部は、モバイル端末装置から該モバイル端末装置のモバイル端末特定情報をユーザ特定情報とともに取得する。前記記憶部は、前記取得部が取得したモバイル端末特定情報を該モバイル端末特定情報とともに取得したユーザ特定情報と関連付けて記憶する。そして、前記ユーザ特定部は、前記記憶部に記憶されるユーザ特定情報から、前記取得部によって取得されたモバイル端末特定情報に関連付けられたユーザ特定情報を抽出することによって、ユーザ特定情報を特定する。したがって、コンテンツ販売サーバ装置は、モバイル端末装置から取得したモバイル端末特定情報から容易にユーザ特定情報を特定することができる。
【００２６】
また本発明によれば、前記送信部は、前記コンテンツ特定部によって特定されたコンテンツ特定情報と、コンテンツ特定情報に対応する商品のタイトルおよび商品の価格とを含むコンテンツリストをモバイル端末装置に送信し、
前記コンテンツ特定情報受信部は、前記送信部によって送信されたコンテンツリストから選択されたコンテンツ特定情報を受信し、
前記販売部は、前記コンテンツ特定情報受信部によって受信されたコンテンツ特定情報によって特定される電子コンテンツの販売を電子的に行い、
前記コンテンツ特定部がコンテンツ特定情報を特定することができないときには、前記コンテンツリストは、前記タイトル特定部が特定した商品のタイトルを含む。
【００２７】
また本発明によれば、前記記憶部は、商品特定情報と、該商品特定情報によって特定される商品と同じ内容の電子コンテンツを特定するためのコンテンツ特定情報とを関連付けて記憶する。そして、前記コンテンツ特定部は、前記記憶部に記憶されるコンテンツ特定情報から、前記商品抽出部によって抽出された商品特定情報に関連付けられたコンテンツ特定情報を抽出することによって、コンテンツ特定情報を特定する。したがって、コンテンツ販売サーバ装置は、商品特定情報から容易にかつ確実にコンテンツ特定情報を特定することができる。
【００２８】
また本発明によれば、店舗端末装置、モバイル端末装置および前記コンテンツ販売サーバ装置を含むコンテンツ販売システムで電子コンテンツの販売を行うにあたって、前記店舗端末装置では、特定情報取得部は、ユーザ特定情報、店舗特定情報および商品特定情報を取得する。店舗端末記憶部は、特定情報取得部が取得したユーザ特定情報と、店舗特定情報と、商品特定情報とを関連付けて記憶する。そして、店舗端末送信部は、店舗端末記憶部に記憶されるユーザ特定情報、店舗特定情報および商品特定情報をコンテンツ販売サーバ装置に送信する。また、前記モバイル端末装置では、モバイル端末記憶部は、ユーザ特定情報を記憶する。モバイル端末送信部は、モバイル端末記憶部に記憶されるユーザ特定情報をコンテンツ販売サーバ装置に送信する。モバイル端末受信部は、コンテンツ販売サーバ装置から前記選択されたコンテンツ特定情報を受信する。表示部は、モバイル端末受信部によって受信されたコンテンツ特定情報を表示する。選択部は、表示部に表示されたコンテンツ特定情報から購入する電子コンテンツのコンテンツ特定情報を選択する。そして、モバイル端末送信部は、選択部によって選択されたコンテンツ特定情報をコンテンツ販売サーバ装置に送信する。したがって、ユーザが店舗および商品の特定情報を知らなくても、商品と同じ内容の電子コンテンツを購入することができる。
【００２９】
また本発明によれば、店舗端末装置、モバイル端末装置および前記コンテンツ販売サーバ装置を含むコンテンツ販売システムで電子コンテンツを販売するにあたって、前記店舗端末装置では、特定情報取得部は、店舗特定情報および商品特定情報を取得する。店舗端末記憶部は、特定情報取得部が取得した、店舗特定情報と商品特定情報とを関連付けて記憶する。店舗端末受信部は、モバイル端末装置からユーザ特定情報を受信する。そして、店舗端末送信部は、店舗端末受信部によって受信されたユーザ特定情報、ならびに店舗端末記憶部に記憶される店舗特定情報および商品特定情報をコンテンツ販売サーバ装置に送信する。また、前記モバイル端末装置では、モバイル端末記憶部は、ユーザ特定情報を記憶する。モバイル端末送信部は、モバイル端末記憶部に記憶されるユーザ特定情報を、店舗端末装置およびコンテンツ販売サーバ装置に送信する。モバイル端末受信部は、コンテンツ販売サーバ装置から前記選択されたコンテンツ特定情報を受信する。表示部は、モバイル端末受信部によって受信されたコンテンツ特定情報を表示する。選択部は、表示部に表示されたコンテンツ特定情報から購入する電子コンテンツのコンテンツ特定情報を選択する。そして、モバイル端末送信部は、選択部によって選択された電子コンテンツ特定情報をコンテンツ販売サーバ装置に送信する。したがって、ユーザが店舗を特定するための特定情報を意識しなくても、商品と同じ内容の電子コンテンツを購入することができる。また、ユーザは、店舗でユーザ特定情報が記録された会員カードを提示しなくてもよい。
【００３０】
また本発明によれば、店舗に設けられ、商品の購入を希望するユーザを特定するためのユーザ特定情報と、該ユーザが購入を希望する商品を陳列する店舗を特定するための店舗特定情報と、該ユーザが購入を希望する商品を特定するための商品特定情報とが読み出し可能に保持される店舗端末装置および携帯可能なモバイル端末装置にネットワークを介して接続され、電子コンテンツの販売を行うコンテンツ販売サーバ装置で実行されるコンテンツ販売方法によって電子コンテンツを販売するにあたって、取得ステップでは、ユーザ特定情報と、店舗特定情報と、商品特定情報とを店舗端末装置から取得する。記憶ステップでは、取得ステップで取得したユーザ特定情報と、店舗特定情報と、商品特定情報とを関連付けて記憶する。ユーザ特定情報受信ステップでは、モバイル端末装置から該モバイル端末装置のユーザのユーザ特定情報を受信する。商品抽出ステップでは、記憶ステップで記憶された商品特定情報から、ユーザ特定情報受信ステップで受信されたユーザ特定情報に関連付けられた商品特定情報を抽出する。コンテンツ特定ステップでは、商品抽出ステップで抽出された商品特定情報によって特定される商品と同じ内容の電子コンテンツを特定するためのコンテンツ特定情報を特定する。タイトル特定ステップでは、コンテンツ特定情報を特定することができないとき、商品特定情報によって特定される商品のタイトルを特定する。送信ステップでは、コンテンツ特定ステップで特定されたコンテンツ特定情報またはタイトル特定部が特定した商品のタイトルの少なくともいずれかをモバイル端末装置に送信する。コンテンツ特定情報受信ステップでは、送信ステップで送信されたコンテンツ特定情報から選択されたコンテンツ特定情報を受信する。そして、販売ステップでは、コンテンツ特定情報受信ステップで受信されたコンテンツ特定情報によって特定される電子コンテンツの販売を電子的に行う。したがって、ユーザが店舗を特定するための特定情報を意識しなくても、商品と同じ内容の電子コンテンツを購入することができる。また、ユーザは、電子コンテンツのない商品についても、商品のタイトルなどの商品に関する情報を知ることができる。
【００３１】
また本発明によれば、店舗に設けられ、商品の購入を希望するユーザを特定するためのユーザ特定情報と、該ユーザが購入を希望する商品を陳列する店舗を特定するための店舗特定情報と、該ユーザが購入を希望する商品を特定するための商品特定情報とが読み出し可能に保持される店舗端末装置および携帯可能なモバイル端末装置にネットワークを介して接続され、コンピュータを含み、電子コンテンツの販売を行うコンテンツ販売サーバ装置のコンピュータに、ユーザ特定情報と、店舗特定情報と、商品特定情報とを店舗端末装置から取得する取得ステップと、取得ステップで取得したユーザ特定情報と、店舗特定情報と、商品特定情報とを関連付けて記憶する記憶ステップと、モバイル端末装置から該モバイル端末装置のユーザのユーザ特定情報を受信するユーザ特定情報受信ステップと、記憶ステップで記憶された商品特定情報から、ユーザ特定情報受信ステップで受信されたユーザ特定情報に関連付けられた商品特定情報を抽出する商品抽出ステップと、商品抽出ステップで抽出された商品特定情報によって特定される商品と同じ内容の電子コンテンツを特定するためのコンテンツ特定情報を特定するコンテンツ特定ステップと、前記コンテンツ特定情報を特定することができないとき、商品特定情報によって特定される商品のタイトルを特定するタイトル特定ステップと、コンテンツ特定ステップで特定されたコンテンツ特定情報またはタイトル特定部が特定した商品のタイトルの少なくともいずれかをモバイル端末装置に送信する送信ステップ送信ステップで送信されたコンテンツ特定情報から選択されたコンテンツ特定情報を受信するコンテンツ特定情報受信ステップと、コンテンツ特定情報受信ステップで受信されたコンテンツ特定情報によって特定される電子コンテンツの販売を電子的に行う販売ステップとを実行させるためのプログラムとして提供することができる。
【図面の簡単な説明】
【００３２】
【図１】本発明の第１の実施形態であるコンテンツ販売システム１に含まれるサーバ装置１０の構成を示すブロック図である。
【図２】コンテンツ販売システム１の構成を示すブロック図である。
【図３】店舗端末２０の構成を示すブロック図である。
【図４】モバイル端末３０の構成を示すブロック図である。
【図５】ログイン情報４１のデータ構造を示す図である。
【図６】コンテンツリスト４２のデータ構造を示す図である。
【図７】購入要求情報４３のデータ構造を示す図である。
【図８】クレジットカード情報４４のデータ構造を示す図である。
【図９】ユーザＩＤ登録画面５１の一例を示す図である。
【図１０】コンテンツリスト表示画面の例を示す図である。
【図１１】クレジットカード登録画面５４の一例を示す図である。
【図１２】ユーザＩＤ登録処理の処理手順を示すフローチャートである。
【図１３】第１のコンテンツ登録処理の処理手順を示すフローチャートである。
【図１４】第１のコンテンツ購入処理の処理手順を示すフローチャートである。
【図１５】第１の購入処理の処理手順を示すフローチャートである。
【図１６】本発明の第２の実施形態であるコンテンツ販売システム１ａでのユーザＩＤ・端末ＩＤ登録処理の処理手順を示すフローチャートである。
【図１７】第２のコンテンツ購入処理の処理手順を示すフローチャートである。
【図１８】本発明の第３の実施形態であるコンテンツ販売システム１ｂでのクレジットカード登録処理の処理手順を示すフローチャートである。
【図１９】第２の購入処理の処理手順を示すフローチャートである。
【図２０】本発明の第４の実施形態であるコンテンツ販売システム１ｃでの第２のコンテンツ登録処理の処理手順を示すフローチャートである。
【発明を実施するための形態】
【００３３】
図１は、本発明の第１の実施形態であるコンテンツ販売システム１に含まれるサーバ装置１０の構成を示すブロック図である。コンテンツ販売サーバ装置であるサーバ装置１０は、電子コンテンツの販売を行うサーバ装置である。本発明に係るコンテンツ販売方法は、サーバ装置１０で実行される。
【００３４】
サーバ装置１０は、サーバ中央処理装置（Central Processing Unit：以下「ＣＰＵ」という）１１、サーバ記憶部１２、サーバ一時記憶部１３およびサーバ通信部１４を含んで構成される。サーバＣＰＵ１１は、たとえばＣＰＵによって構成され、サーバ記憶部１２に記憶されるプログラムを実行することによって、サーバ通信部１４を制御する。サーバＣＰＵ１１は、商品抽出部、コンテンツ特定部、販売部、店舗抽出部、ユーザ特定部およびタイトル特定部である。
【００３５】
記憶部であるサーバ記憶部１２は、不揮発性の大容量の記憶装置、たとえばフラッシュメモリなどの半導体メモリ、またはハードディスク装置（Hard Disk Drive：以下「ＨＤＤ」という）などによって構成される。サーバ記憶部１２は、サーバＣＰＵ１１によって実行されるプログラム、およびサーバＣＰＵ１１がプログラムを実行するために必要な情報（図では「データ」という）を記憶する。サーバ記憶部１２に記憶される情報は、サーバＣＰＵ１１によって書き込みおよび読み出しが行われる。
【００３６】
サーバ一時記憶部１３は、書き込み速度および読み出し速度がサーバ記憶部１２よりも高速で揮発性の記憶装置、たとえばダイナミックランダムアクセスメモリ（Dynamic Random Access Memory：以下「ＤＲＡＭ」という）などの半導体メモリによって構成される。サーバ一時記憶部１３は、サーバＣＰＵ１１がプログラムを実行するために必要な情報を一時的に記憶するワークメモリである。サーバ一時記憶部１３に記憶される情報は、サーバＣＰＵ１１によって書き込みおよび読み出しが行われる。
【００３７】
サーバ通信部１４は、たとえば、イーサネット(登録商標)によって後述するネットワーク２に接続され、ネットワーク２に接続される他の装置、たとえば後述する店舗端末装置（以下「店舗端末」という）２０およびモバイル端末装置（以下「モバイル端末」という）３０と情報の送受信を行う通信装置によって構成される。サーバ通信部１４は、サーバＣＰＵ１１から受け取る情報を、ネットワーク２を介して、サーバＣＰＵ１１から指示される他の装置に送信し、ネットワーク２を介して他の装置から受け取る情報をサーバＣＰＵ１１に送る。サーバ通信部１４は、取得部、ユーザ特定情報受信部、送信部、およびコンテンツ特定情報受信部およびユーザ確認情報受信部である。
【００３８】
図２は、コンテンツ販売システム１の構成を示すブロック図である。コンテンツ販売システム１は、サーバ装置１０、店舗端末２０およびモバイル端末３０を含んで構成される。
【００３９】
サーバ装置１０、店舗端末２０およびモバイル端末３０は、通信網、たとえばネットワーク２に接続され、ネットワーク２を介してそれぞれ相互に情報を送受信する。図２には、店舗端末２０およびモバイル端末３０をそれぞれ１台しか記載していないが、複数台の店舗端末２０および複数台のモバイル端末３０がネットワーク２に接続可能である。ネットワーク２は、ローカルエリアネットワークあるいはワイドエリアネットワークなどのネットワークからなる通信網であり、たとえばインターネットなどによって構成されてもよい。モバイル端末３０は、直接ネットワーク２に接続されてもよいし、モバイル端末３０が、たとえば携帯電話装置の場合は、基地局に設置される通信設備を介してネットワーク２に接続される構成であってもよい。
【００４０】
店舗端末２０は、商品を陳列する店舗に設けられ、ユーザが商品の購入を希望する場合、その商品を特定するための商品特定情報（Identification：以下「ＩＤ」という）を、その店舗を特定するための店舗特定情報（以下「店ＩＤ」という）、およびその店舗を利用するユーザを特定するためのユーザ特定情報（以下「ユーザＩＤ」という）とともに、サーバ装置１０に送信する。商品は、たとえば書籍、音楽コンパクトディスク（Compact Disk：以下「ＣＤ」という）、および映画などの動画デジタルバーサタイルディスク（Digital Versatile Disk：以下「ＤＶＤ」という）などの商品である。
【００４１】
サーバ装置１０は、店舗端末２０から受信する商品ＩＤ、店ＩＤ、およびユーザＩＤを関連付けて記憶し、モバイル端末３０からユーザＩＤを受信すると、受信したユーザＩＤに関連付けられた商品ＩＤによって特定される商品と同じ内容の電子コンテンツを特定するためのコンテンツ特定情報（以下「コンテンツＩＤ」という）を、コンテンツリストとしてモバイル端末３０に送信する。コンテンツリストは、ユーザＩＤを送信したモバイル端末３０を所持するユーザが店舗で購入を希望した商品と同じ内容の電子コンテンツの一覧である。
【００４２】
モバイル端末３０は、コンテンツリストをサーバ装置１０から受信し、受信したコンテンツリストから購入する電子コンテンツのコンテンツＩＤをユーザに選択させ、選択されたコンテンツＩＤをサーバ装置１０に送信する。サーバ装置１０は、受信したコンテンツＩＤの電子コンテンツの販売するための購入手続きを行う。モバイル端末３０は、購入手続きが完了すると、サーバ装置１０から電子コンテンツをダウンロードして表示する。
【００４３】
図３は、店舗端末２０の構成を示すブロック図である。店舗端末２０は、各店舗に設けられる。店舗端末２０は、店舗端末ＣＰＵ２１、店舗端末記憶部２２、店舗端末一時記憶部２３、店舗端末通信部２４および商品コード読取部２５を含んで構成される。店舗端末ＣＰＵ２１は、たとえばＣＰＵによって構成され、店舗端末記憶部２２に記憶されるプログラムを実行することによって、店舗端末通信部２４および商品コード読取部２５を制御する。
【００４４】
店舗端末記憶部である店舗端末記憶部２２は、不揮発性の大容量の記憶装置、たとえばフラッシュメモリなどの半導体メモリまたはＨＤＤなどによって構成される。店舗端末記憶部２２は、店舗端末ＣＰＵ２１によって実行されるプログラム、および店舗端末ＣＰＵ２１がプログラムを実行するために必要な情報を記憶する。店舗端末記憶部２２に記憶される情報は、店舗端末ＣＰＵ２１によって書き込みおよび読み出しが行われる。
【００４５】
店舗端末一時記憶部２３は、書き込み速度および読み出し速度が店舗端末記憶部２２よりも高速で揮発性の記憶装置、たとえばＤＲＡＭなどの半導体メモリによって構成される。店舗端末一時記憶部２３は、店舗端末ＣＰＵ２１がプログラムを実行するために必要な情報を一時的に記憶するワークメモリである。店舗端末一時記憶部２３に記憶される情報は、店舗端末ＣＰＵ２１によって書き込みおよび読み出しが行われる。
【００４６】
店舗端末送信部および店舗端末受信部である店舗端末通信部２４は、たとえばイーサネット(登録商標)によってネットワーク２に接続され、ネットワーク２に接続される他の装置、たとえばサーバ装置１０およびモバイル端末３０と情報の送受信を行う通信装置によって構成される。店舗端末通信部２４は、店舗端末ＣＰＵ２１から受け取る情報を、ネットワーク２を介して、店舗端末ＣＰＵ２１から指示される他の装置に送信し、ネットワーク２を介して他の装置から受け取る情報を店舗端末ＣＰＵ２１に送る。通信方式は、たとえばＩＥＥＥ（Institute of Electrical and Electronic Engineers）８０２．１１無線通信方式であるが、ＲＦＩＤ（Radio Frequency  Identification）、あるいはそれらを複数備えたものであってもよい。
【００４７】
商品コード読取部２５は、商品に付されている商品ＩＤを読み取る読取装置である。商品ＩＤは、たとえば、バーコードとして商品に貼り付けられていてもよいし、磁気ストライプとして記録されていてもよいし、商品に貼り付けられる集積回路（Integrated Circuit：以下「ＩＣ」という）チップに記憶しておいてもよい。また、商品コード読取部２５は、店舗で発行される会員カードに記憶されるユーザＩＤを読み取る。会員カードは、磁気カードあるいはＩＣカードである。会員カードには、店舗で発行されたユーザＩＤが記憶されている。商品コード読取部２５および図示しない操作部は、特定情報取得部である。
【００４８】
図４は、モバイル端末３０の構成を示すブロック図である。モバイル端末３０は、たとえばユーザによって携帯可能な携帯電話装置あるいは電子書籍端末装置などによって構成される。以下、モバイル端末３０が携帯電話装置である場合を例にして説明する。モバイル端末３０は、モバイル端末ＣＰＵ３１、モバイル端末記憶部３２、モバイル端末一時記憶部３３、モバイル端末通信部３４、アンテナ３５、表示部３６および操作部３７を含んで構成される。モバイル端末ＣＰＵ３１は、たとえばＣＰＵによって構成され、モバイル端末記憶部３２に記憶されるプログラムを実行することによって、モバイル端末通信部３４、表示部３６および操作部３７を制御する。
【００４９】
モバイル端末記憶部であるモバイル端末記憶部３２は、不揮発性の大容量の記憶装置、たとえばフラッシュメモリなどの半導体メモリまたはＨＤＤなどによって構成される。モバイル端末記憶部３２は、モバイル端末ＣＰＵ３１によって実行されるプログラム、およびモバイル端末ＣＰＵ３１がプログラムを実行するために必要な情報を記憶する。モバイル端末記憶部３２に記憶される情報は、モバイル端末ＣＰＵ３１によって書き込みおよび読み出しが行われる。
【００５０】
モバイル端末一時記憶部３３は、書き込み速度および読み出し速度がモバイル端末記憶部３２よりも高速で揮発性の記憶装置、たとえばＤＲＡＭなどの半導体メモリによって構成される。モバイル端末一時記憶部３３は、モバイル端末ＣＰＵ３１がプログラムを実行するために必要な情報を一時的に記憶するワークメモリである。モバイル端末一時記憶部３３に記憶される情報は、モバイル端末ＣＰＵ３１によって書き込みおよび読み出しが行われる。
【００５１】
モバイル端末通信部３４は、無線通信によって基地局の通信設備を介してネットワーク２に接続され、ネットワーク２に接続される他の装置、たとえばサーバ装置１０および店舗端末２０と情報の送受信を行う通信装置によって構成される。基地局の通信設備は、携帯電話回線網による通信を制御する。モバイル端末通信部３４は、モバイル端末ＣＰＵ３１から受け取る情報を、ネットワーク２を介してモバイル端末ＣＰＵ３１から指示される他の装置に送信し、ネットワーク２を介して他の装置から受け取る情報をモバイル端末ＣＰＵ３１に送る。通信方式は、たとえばＩＥＥＥ８０２．１１無線通信方式であるが、Ｂｌｕｅｔｏｏｔｈ(登録商標)、ＲＦＩＤ、あるいはそれらを複数備えたものであってもよい。モバイル端末通信部３４は、モバイル端末送信部およびモバイル端末受信部から成る。
【００５２】
アンテナ３５は、基地局から送信されてくる電波を受信して電気信号に変換してモバイル端末通信部３４に送り、モバイル端末通信部３４から受け取る電気信号を電波として出力する。表示部３６は、たとえば液晶パネルなどの表示装置によって構成される。表示部３６は、表示画面を有し、モバイル端末ＣＰＵ３１から受け取る情報、たとえば画像情報を表示画面に表示する。
【００５３】
選択部である操作部３７は、操作ボタンおよびタッチパネルを含んで構成される。操作部３７は、操作された操作ボタンに対応付けられている情報をモバイル端末ＣＰＵ３１に送る。タッチパネルは、表示部３６の表示画面上に実装されている。操作部３７は、タッチペンや指などの指示具によってタッチパネルに触れられた位置を表す位置情報をモバイル端末ＣＰＵ３１に送る。モバイル端末ＣＰＵ３１は、受け取った位置情報が示す位置と、表示画面に表示している項目やボタンの表示位置とに基づいて、表示部３６に表示されている項目やボタンのうち、どの項目が選択されたか、およびどのボタンが操作されたかを認識する。
【００５４】
図５は、ログイン情報４１のデータ構造を示す図である。ログイン情報４１は、モバイル端末３０からサーバ装置１０にログインする際に、モバイル端末３０からサーバ装置１０に送信される情報である。ログイン情報４１は、ユーザＩＤ４１１の項目、およびパスワードの項目を含む。ユーザＩＤ４１１の項目は、ユーザＩＤを表す。パスワード４１２の項目は、ユーザＩＤの正当性を確認するためのパスワードを表す。図５に示したログイン情報４１の例には、ユーザＩＤ４１１として「ｕｓｅｒ０００１」が示され、パスワード４１２として「ｈｏｇｅｈｏｇｅ」が示されている。パスワードは、ユーザ確認情報である。
【００５５】
図６は、コンテンツリスト４２のデータ構造を示す図である。コンテンツリスト４２は、サーバ装置１０からモバイル端末３０に送信されるコンテンツリストである。コンテンツリスト４２は、件数４２１の項目、コンテンツＩＤ４２２の項目、タイトル４２３の項目および価格４２４の項目を含む。
【００５６】
件数４２１の項目は、コンテンツリスト４２に入るコンテンツＩＤの件数、つまりコンテンツリスト４２に含まれるコンテンツＩＤの個数を表す。コンテンツＩＤ４２２の項目は、コンテンツのＩＤ、つまり電子コンテンツのコンテンツＩＤを表す。タイトル４２３の項目は、コンテンツのタイトル、つまりコンテンツＩＤによって特定される電子コンテンツのタイトルを表す。価格４２４の項目は、コンテンツの価格、つまりコンテンツＩＤによって特定される電子コンテンツの価格を表す。
【００５７】
１つの電子コンテンツについて、１つのコンテンツＩＤ４２２の項目、１つのタイトル４２３の項目および１つの価格４２４の項目が１組となる。コンテンツリスト４２には、件数４２１の項目に示される件数の数だけ、この組が繰り返される。
【００５８】
図６に示したコンテンツリスト４２の例には、件数４２１として「４」が示され、第１番目の組について、コンテンツＩＤ４２２として「０１２３４５６７８９００」が示され、タイトル４２３として「書籍Ａ」が示され、価格４２４として「２１０」が示されている。同様に、第２番目の組について、コンテンツＩＤ４２２として「９８７６５４３２１０１２」が示され、タイトル４２３として「書籍Ｂ」が示され、価格４２４として「３１５」が示されている。第３番目の組について、コンテンツＩＤ４２２として「２４６８１０１２３４５６」が示され、タイトル４２３として「書籍Ｃ」が示され、価格４２４として「５２５」が示されている。第４番目の組について、コンテンツＩＤ４２２として「ＡＢＣ１２３４５６７８」が示され、タイトル４２３として「映画Ａ」が示され、価格４２４として「１０５０」が示されている。
【００５９】
図７は、購入要求情報４３のデータ構造を示す図である。購入要求情報４３は、モバイル端末３０からサーバ装置１０に電子コンテンツの購入を要求する際に、モバイル端末３０からサーバ装置１０に送信される情報である。購入要求情報４３は、購入要求４３１の項目およびコンテンツＩＤ４３２の項目を含む。購入要求４３１の項目は、購入要求、つまり電子コンテンツの購入の要求を表す。コンテンツＩＤ４３２の項目は、購入要求するコンテンツのＩＤ，つまり購入を要求する電子コンテンツのコンテンツＩＤである。図７に示した購入要求情報４３の例には、コンテンツＩＤ４３２として「０１２３４５６７８９００」が示されている。
【００６０】
図８は、クレジットカード情報４４のデータ構造を示す図である。クレジットカード情報４４は、モバイル端末３０からサーバ装置１０にクレジットカードの情報を登録する際に、モバイル端末３０からサーバ装置１０に送信される情報である。クレジットカード情報４４は、カード番号４４１の項目、氏名４４２の項目、および有効期限４４３の項目を含む。カード番号４４１の項目は、クレジットカードの番号を表す。氏名４４２の項目は、クレジットカードの名義人の氏名を表す。有効期限４４３は、クレジットカードの有効期限である。
【００６１】
図８に示したクレジットカード情報４４の例には、カード番号４４１として「０１２３４５６７８９１０１１１２」が示され、氏名４４２として「山田太郎」が示され、有効期限４４３として「２０１０−１−１」が示されている。
【００６２】
図９は、ユーザＩＤ登録画面５１の一例を示す図である。ユーザＩＤ登録画面５１は、ユーザＩＤをサーバ装置１０に登録するための画面であり、モバイル端末３０の表示部３６に表示される。ユーザＩＤ登録画面５１には、ユーザＩＤ入力欄５１１、パスワード入力欄５１２および送信ボタン５１３が設けられる。
【００６３】
ユーザＩＤ入力欄５１１は、ユーザＩＤを入力するための欄である。ユーザＩＤ入力欄５１１には、ユーザＩＤを入力するための欄であることを示す「ＩＤ」という文字が表示されている。パスワード入力欄５１２は、パスワードを入力するための欄である。パスワード入力欄５１２には、パスワードを入力するための欄であることを示す「パスワード」という文字が表示されている。送信ボタン５１３は、ユーザＩＤ入力欄５１１に入力されたユーザＩＤと、パスワード入力欄５１２に入力されたパスワードとをサーバ装置１０に送信することを指示するための操作ボタンである。ユーザＩＤおよびパスワードは、店舗から、その店舗を利用する会員に、会員登録のような形で、たとえば会員カードに記録されて発行されている。
【００６４】
図１０は、コンテンツリスト表示画面の例を示す図である。コンテンツリスト表示画面は、モバイル端末３０の表示部３６に表示される。図１０（ａ）は、商品と同じ内容の電子コンテンツが、購入を希望するすべての商品について存在する場合のコンテンツリスト表示画面５２の一例である。
【００６５】
コンテンツリスト表示画面５２には、メッセージ欄５２１および少なくとも１つのコンテンツ購入欄５２２が設けられる。メッセージ欄５２１は、ユーザＩＤによって特定されるユーザに対するコンテンツリストであることを示すメッセージを表示する欄である。コンテンツ購入欄５２２には、購入可能な電子コンテンツのタイトルおよび価格が表示され、「購入するボタン」５２３が設けられる。「購入するボタン」５２３を操作することによって、その「購入するボタン」５２３が設けられているコンテンツ購入欄５２２に表示されるタイトルの電子コンテンツを、表示されている価格で購入することを、サーバ装置１０に要求することができる。コンテンツ購入欄５２２は、購入を希望する商品の数だけ表示される。
【００６６】
図１０（ａ）に示したコンテンツリスト表示画面５２には、メッセージ欄５２１に「ｕｓｅｒ０００１さんの欲しいものリスト」と示され、第１番目のコンテンツ購入欄５２２には、電子コンテンツのタイトルおよび価格として「書籍Ａ  ￥２１０」と示されている。同様に、第２番目のコンテンツ購入欄５２２には、電子コンテンツのタイトルおよび価格として「書籍Ｂ  ￥３１５」と示されている。第３番目のコンテンツ購入欄５２２には、電子コンテンツのタイトルおよび価格として「書籍Ｃ  ￥５２５」と示されている。第４番目のコンテンツ購入欄５２２には、電子コンテンツのタイトルおよび価格として「映画Ａ  ￥１０５０」と示されている。
【００６７】
図１０（ｂ）は、商品と同じ内容の電子コンテンツが、購入を希望する商品のうち、いずれかの商品について存在しない場合のコンテンツリスト表示画面５３の一例である。コンテンツリスト表示画面５３には、メッセージ欄５３１、少なくとも１つのコンテンツ購入欄５３２、および少なくとも１つの購入不可コンテンツ欄５３４が設けられる。メッセージ欄５３１、コンテンツ購入欄５３２および「購入するボタン」５３３は、図１０（ａ）に示したメッセージ欄５２１、コンテンツ購入欄５２２および「購入するボタン」５２３と同じであり、重複を避けるために説明を省略する。
【００６８】
購入不可コンテンツ欄５３４は、ユーザが購入を希望する商品と同じ内容の電子コンテンツが存在しない商品を示す欄である。電子コンテンツが存在しないとは、たとえば、まだ商品と同じ内容が電子コンテンツ化されていない場合、およびオンライン配信が可能となっていない場合である。購入不可コンテンツ欄５３４には、電子コンテンツとして購入することができない商品のタイトルが表示され、電子コンテンツがないことを示すメッセージ５３５が表示されている。
【００６９】
図１０（ｂ）に示したコンテンツリスト表示画面５３の購入不可コンテンツ欄５３４には、電子コンテンツとして購入することができない商品のタイトルとして「書籍Ｄ」が示され、メッセージ５３５として「該当する電子書籍はありません」というメッセージが表示されている。
【００７０】
図１１は、クレジットカード登録画面５４の一例を示す図である。クレジットカード登録画面５４は、ユーザが所有するクレジットカードの情報を、サーバ装置１０に登録するための画面であり、モバイル端末３０の表示部３６に表示される。クレジットカード登録画面５４には、カード番号入力欄５４１、名義人入力欄５４２、有効期限入力欄５４３および登録ボタン５４４が設けられる。
【００７１】
カード番号入力欄５４１は、ユーザが所有するクレジットカードのクレジットカード番号を入力するための欄である。名義人入力欄５４２は、ユーザが所有するクレジットカードの名義人の氏名を入力するための欄である。有効期限入力欄５４３は、ユーザが所有するクレジットカードの有効期限を入力するための欄である。登録ボタン５４４は、カード番号入力欄５４１に入力されたクレジットカード番号、名義人入力欄５４２に入力された名義人の氏名、および有効期限入力欄５４３に入力された有効期限を、サーバ装置１０に送信して、登録することを指示するための操作ボタンである。
【００７２】
図１２は、ユーザＩＤ登録処理の処理手順を示すフローチャートである。ユーザＩＤ登録処理は、ユーザＩＤおよびパスワードをモバイル端末３０からサーバ装置１０に登録する処理である。左側のフローチャートがサーバ装置１０での処理である。右側のフローチャートがモバイル端末３０での処理である。
【００７３】
モバイル端末ＣＰＵ３１は、たとえば表示部３６に表示するメニューから、ユーザＩＤの設定の項目が選択されると、ステップＡ１に移る。ステップＡ１では、モバイル端末ＣＰＵ３１は、図９に示したユーザＩＤ登録画面５１を表示し、ユーザに、店舗から発行されたユーザＩＤおよびパスワードを入力させる。
【００７４】
ステップＡ２では、モバイル端末ＣＰＵ３１は、入力されたユーザＩＤおよびパスワードを関連付けて、モバイル端末記憶部３２に記憶する。ステップＡ３では、モバイル端末ＣＰＵ３１は、モバイル端末記憶部３２に記憶したユーザＩＤおよびパスワードを、モバイル端末通信部３４によってサーバ装置１０へ送信し、モバイル端末３０でのユーザＩＤ登録処理を終了する。
【００７５】
サーバＣＰＵ１１は、サーバ装置１０の電源が投入されて、動作可能状態になると、ステップＢ１に移り、ユーザＩＤおよびパスワードを登録するプログラムを実行することができる状態で待機している。
【００７６】
ステップＢ１では、サーバＣＰＵ１１は、モバイル端末３０から送信されたユーザＩＤおよびパスワードを、サーバ通信部１４によって受信する。ステップＢ２では、受信したユーザＩＤおよびパスワードを紐付けて、つまり関連付けてサーバ記憶部１２に記憶して、ステップＢ１に戻る。
【００７７】
図１３は、第１のコンテンツ登録処理の処理手順を示すフローチャートである。第１のコンテンツ登録処理は、ユーザＩＤ、商品ＩＤおよび店ＩＤを、店舗端末２０からサーバ装置１０に登録する処理である。左側のフローチャートがサーバ装置１０での処理であり、右側のフローチャートが店舗端末２０での処理である。
【００７８】
店舗端末ＣＰＵ２１は、店舗端末２０の電源が投入されて、操作可能状態になるとステップＣ１に進む。ステップＣ１では、店舗端末ＣＰＵ２１は、店舗の管理者に、図示しない操作部、たとえばキーボードなどによって、その店舗の店ＩＤを入力させる。ステップＣ２では、店舗端末ＣＰＵ２１は、入力された店ＩＤを店舗端末記憶部２２に記憶する。
【００７９】
ステップＣ３では、店舗端末ＣＰＵ２１は、商品コード読取部２５によって、商品ＩＤおよびユーザＩＤが読み取られるまで待機している。ユーザが購入を希望する商品と会員カードとを店舗端末２０のところに持っていき、商品コード読取部２５によって、ユーザが購入を希望する商品の商品ＩＤと、会員カードのユーザＩＤを読み込む操作を行う。
【００８０】
ステップＣ４では、店舗端末ＣＰＵ２１は、店舗端末記憶部２２に記憶した店ＩＤを読み込む。ステップＣ５では、店舗端末ＣＰＵ２１は、商品コード読取部２５によって読み込んだ商品ＩＤおよびユーザＩＤ、ならびに店舗端末記憶部２２から読み込んだ店ＩＤを、店舗端末通信部２４によってサーバ装置１０に送信して、ステップＣ３に戻る。
【００８１】
サーバＣＰＵ１１は、サーバ装置１０の電源が投入されて、動作可能状態になると、ステップＤ１に移り、ユーザＩＤ、商品ＩＤおよび店ＩＤを記憶するプログラムを実行することができる状態で待機している。
【００８２】
取得ステップであるステップＤ１では、サーバＣＰＵ１１は、店舗端末２０から送信されたユーザＩＤ、商品ＩＤおよび店ＩＤを、サーバ通信部１４によって受信する。記憶ステップであるステップＤ２では、サーバＣＰＵ１１は、受信したユーザＩＤ、商品ＩＤおよび店ＩＤを紐付けて、つまり関連付けてサーバ記憶部１２に記憶して、ステップＤ１に戻る。
【００８３】
図１４は、第１のコンテンツ購入処理の処理手順を示すフローチャートである。第１のコンテンツ購入処理は、モバイル端末３０からサーバ装置１０にログインし、モバイル端末３０を所持するユーザが購入を希望する商品と同じ内容の電子コンテンツの一覧、つまりコンテンツリストをサーバ装置１０から受信してモバイル端末３０に表示し、コンテンツリストから購入する電子コンテンツが選択されると、その電子コンテンツの購入手続を行う処理である。左側のフローチャートがサーバ装置１０での処理であり、右側のフローチャートがモバイル端末３０での処理である。
【００８４】
モバイル端末ＣＰＵ３１は、たとえば表示部３６に表示するメニューから、電子コンテンツの購入の項目が選択されると、ステップＥ１に移る。ステップＥ１では、モバイル端末ＣＰＵ３１は、図９に示したユーザＩＤ登録画面５１と同様の画面を表示し、ユーザに、操作部３７によってログイン情報を入力させる。ログイン情報は、ユーザＩＤおよびパスワードである。
【００８５】
ステップＥ２では、モバイル端末ＣＰＵ３１は、入力されたユーザＩＤおよびパスワードを、ログイン情報４１として、モバイル端末通信部３４によってサーバ装置１０に送信する。ステップＥ１で、初めて入力されたユーザＩＤおよびパスワードは、ログイン用のユーザＩＤおよびパスワードとして、モバイル端末記憶部３２に記憶され、２回目以降のログイン時に、モバイル端末記憶部３２に記憶されたログイン用のユーザＩＤおよびパスワードが用いられる。したがって、２回目以降のログイン時には、ユーザはログインのために、ユーザＩＤおよびパスワードを入力する必要がない。
【００８６】
ステップＥ３では、モバイル端末ＣＰＵ３１は、サーバ装置１０から送信されてくるコンテンツリスト４２を、モバイル端末通信部３４によって受信する。ステップＥ４では、モバイル端末ＣＰＵ３１は、受信したコンテンツリスト４２を、図１０（ａ）に示したコンテンツリスト表示画面５２、または図１０（ｂ）に示したコンテンツリスト表示画面５３のように、表示部３６に表示する。
【００８７】
ステップＥ５では、モバイル端末ＣＰＵ３１は、ユーザが、操作部３７によって、購入したい電子コンテンツを、コンテンツリスト画面６２またはコンテンツリスト表示画面５３に表示される電子コンテンツの中から選択し、購入ボタン５２３または購入ボタン５３３を操作する。ステップＥ６では、モバイル端末ＣＰＵ３１は、図１５で後述する購入処理を行う。購入処理では、モバイル端末ＣＰＵ３１は、購入要求情報４３を、モバイル端末通信部３４によってサーバ装置１０に送信する。
【００８８】
ステップＥ７では、モバイル端末ＣＰＵ３１は、電子コンテンツをモバイル端末通信部３４によって受信し、受信した電子コンテンツを表示部３６に表示して、モバイル端末３０での第１のコンテンツ購入処理を終了する。
【００８９】
サーバＣＰＵ１１は、サーバ装置１０の電源が投入されて、動作可能状態になると、ステップＦ１に移り、コンテンツ購入処理を行うプログラムを実行することができる状態で待機している。
【００９０】
ユーザ特定情報受信ステップであるステップＦ１では、サーバＣＰＵ１１は、ログイン処理を行う。具体的には、サーバＣＰＵ１１は、サーバ通信部１４によって、ログイン情報４１、つまりユーザＩＤおよびパスワードを受信し、受信したユーザＩＤおよびパスワードが、サーバ記憶部１２に関連付けて記憶したユーザＩＤおよびパスワードに一致するか否かによってユーザの認証を行う。サーバＣＰＵ１１は、認証が成功したときは、ステップＦ２に進み、図には示していないが、認証が不成功のときは、エラー終了する。
【００９１】
商品抽出ステップであるステップＦ２では、サーバＣＰＵ１１は、サーバ記憶部１２に記憶される商品ＩＤから、ステップＦ１で受信したユーザＩＤに紐付けられた、つまり関連付けられた商品ＩＤをすべて抽出する。コンテンツ特定ステップであるステップＦ３では、サーバＣＰＵ１１は、抽出された商品ＩＤそれぞれに対するコンテンツＩＤを特定する。具体的には、サーバ記憶部１２は、商品ＩＤと、該商品ＩＤによって特定される商品と同じ内容の電子コンテンツのコンテンツＩＤとを関連付けて記憶しており、サーバＣＰＵ１１は、抽出された商品ＩＤによって特定される商品と同じ内容の電子コンテンツのコンテンツＩＤを、サーバ記憶部１２に記憶される商品ＩＤとコンテンツＩＤとの関連付けによって特定する。商品ＩＤおよびコンテンツＩＤは、全店舗で共通である。
【００９２】
ステップＦ４では、サーバＣＰＵ１１は、コンテンツＩＤを特定できない商品ＩＤが存在するか否かを判定する。サーバＣＰＵ１１は、コンテンツＩＤを特定できない商品ＩＤが存在するとき、ステップＦ１１に進み、コンテンツＩＤを特定できない商品ＩＤが存在しないとき、ステップＦ５に進む。コンテンツＩＤを特定できないとは、ユーザが購入を希望する商品と同じ内容の電子コンテンツが存在しないために、コンテンツＩＤを特定できないということである。
【００９３】
ステップＦ５では、サーバＣＰＵ１１は、コンテンツＩＤそれぞれのコンテンツ情報を取得する。コンテンツ情報は、電子コンテンツのタイトルおよび電子コンテンツの価格を含む情報であり、コンテンツＩＤごとに、サーバ記憶部１２に記憶されている。ステップＦ６では、サーバＣＰＵ１１は、取得したコンテンツ情報に基づいて、コンテンツリスト４２を作成する。送信ステップであるステップＦ７では、サーバＣＰＵ１１は、作成したコンテンツリスト４２を、サーバ通信部１４によってモバイル端末３０に送信する。
【００９４】
コンテンツ特定情報受信ステップであるステップＦ８では、サーバＣＰＵ１１は、購入要求情報４３を、サーバ通信部１４によってモバイル端末３０から受信すると、図１５で後述する購入処理を行う。ステップＦ９では、サーバＣＰＵ１１は、購入処理した電子コンテンツのコンテンツＩＤと、紐付けられた、つまり関連付けられた店ＩＤとを関連付けてサーバ記憶部１２に記憶する。この関連付けによって、サーバ装置１０は、販売した電子コンテンツの代金を、販売した電子コンテンツのコンテンツＩＤに関連付けられた商品ＩＤの商品を、ユーザが購入を希望する商品としてサーバ装置１０に登録した店舗端末２０が設置される店舗に還元することができる。
【００９５】
販売ステップであるステップＦ１０では、サーバＣＰＵ１１は、購入処理した電子コンテンツをサーバ通信部１４によってモバイル端末３０に送信して、サーバ装置１０での第１のコンテンツ購入処理を終了する。
【００９６】
ステップＦ１１では、サーバＣＰＵ１１は、コンテンツＩＤを特定できない商品ＩＤによって特定される商品の商品情報を取得する。商品情報は、商品のタイトルを含む情報であり、商品ＩＤごとに、サーバ記憶部１２に記憶されている。ステップＦ１２では、サーバＣＰＵ１１は、コンテンツＩＤを特定できた商品ＩＤについては、コンテンツ情報を取得して、ステップＦ６に進む。
【００９７】
図１５は、第１の購入処理の処理手順を示すフローチャートである。第１の購入処理は、電子コンテンツの購入の手続を行う処理である。左側のフローチャートがサーバ装置１０での処理であり、右側のフローチャートがモバイル端末３０での処理である。
【００９８】
モバイル端末ＣＰＵ３１は、図１４に示したステップＥ６が実行されると、ステップＧ１に移る。ステップＧ１では、モバイル端末ＣＰＵ３１は、購入要求、つまり購入要求情報４３を、モバイル端末通信部３４によってサーバ装置１０に送信して、モバイル端末３０での第１の購入処理を終了する。
【００９９】
サーバＣＰＵ１１は、図１４に示したステップＦ８が実行されると、ステップＨ１に移る。ステップＨ１では、サーバＣＰＵ１１は、購入要求、つまり購入要求情報４３を、サーバ通信部１４によってモバイル端末３０から受信する。ステップＨ２では、サーバＣＰＵ１１は、購入手続を行って、サーバ装置１０での第１の購入処理を終了する。購入手続では、電子コンテンツの代金の精算処理が行われる。精算処理は、たとえばクレジットカードによる精算処理である。
【０１００】
図１６は、本発明の第２の実施形態であるコンテンツ販売システム１ａでのユーザＩＤ・端末ＩＤ登録処理の処理手順を示すフローチャートである。第２の実施形態であるコンテンツ販売システム１ａは、第１の実施形態であるコンテンツ販売システム１のハードウエア構成と同じハードウエア構成であり、重複を避けるために説明を省略する。図１６，図１７を用いて、第２の実施形態であるコンテンツ販売システム１ａでの処理を、第１の実施形態であるコンテンツ販売システム１との相違点についてのみ説明する。
【０１０１】
コンテンツ販売システム１ａでは、各モバイル端末３０を特定するためのモバイル端末特定情報（以下「端末ＩＤ」という）を用いて、ユーザＩＤおよびパスワードを特定する。コンテンツ販売システム１ａでは、モバイル端末３０でのログイン処理を省略することができる。
【０１０２】
ユーザＩＤ・端末ＩＤ登録処理は、ユーザＩＤ、パスワードおよび端末ＩＤをモバイル端末３０からサーバ装置１０に登録する処理である。左側のフローチャートがサーバ装置１０での処理であり、右側のフローチャートがモバイル端末３０での処理である。
【０１０３】
モバイル端末ＣＰＵ３１は、たとえば表示部３６に表示するメニューから、ユーザＩＤの設定の項目が選択されると、ステップＪ１に移る。ステップＪ１では、モバイル端末ＣＰＵ３１は、図９に示したユーザＩＤ登録画面５１を表示し、ユーザに、店舗から発行されたユーザＩＤおよびパスワードを入力させる。ステップＪ２では、モバイル端末ＣＰＵ３１は、入力されたユーザＩＤおよびパスワードを関連付けて、モバイル端末記憶部３２に記憶する。
【０１０４】
ステップＪ３では、モバイル端末ＣＰＵ３１は、モバイル端末記憶部３２から端末ＩＤを読み込む。モバイル端末３０は、該モバイル端末３０の端末ＩＤは、モバイル端末記憶部３２に予め記憶されている。ステップＪ４では、モバイル端末ＣＰＵ３１は、モバイル端末記憶部３２に記憶したユーザＩＤおよびパスワード、ならびに、モバイル端末記憶部３２から読み込んだ端末ＩＤを、モバイル端末通信部３４によってサーバ装置１９へ送信し、モバイル端末３０でのユーザＩＤ登録処理を終了する。
【０１０５】
サーバＣＰＵ１１は、サーバ装置１０の電源が投入されて、動作可能状態になると、ステップＫ１に移り、ユーザＩＤ、パスワードおよび端末ＩＤを登録するプログラムを実行することができる状態で待機している。
【０１０６】
ステップＫ１では、サーバＣＰＵ１１は、モバイル端末３０から送信されたユーザＩＤ、パスワードおよび端末ＩＤを、サーバ通信部１４によって受信する。ステップＫ２では、受信したユーザＩＤ、パスワードおよび端末ＩＤを紐付けて、つまり関連付けてサーバ記憶部１２に記憶して、ステップＫ１に戻る。
【０１０７】
図１７は、第２のコンテンツ購入処理の処理手順を示すフローチャートである。第２のコンテンツ購入処理は、モバイル端末３０からサーバ装置１０に送信される端末ＩＤによってユーザＩＤを特定し、特定したユーザＩＤのユーザが購入を希望する商品と同じ内容の電子コンテンツの一覧、つまりコンテンツリストをサーバ装置１０からモバイル端末３０に送信し、送信されたコンテンツリストをモバイル端末３０に表示し、コンテンツリストから購入する電子コンテンツが選択されると、その電子コンテンツの購入を行う処理である。左側のフローチャートがサーバ装置１０での処理であり、右側のフローチャートがモバイル端末３０での処理である。
【０１０８】
モバイル端末ＣＰＵ３１は、たとえば表示部３６に表示するメニューから、電子コンテンツの購入の項目が選択されると、ステップＬ１に移る。ステップＬ１では、モバイル端末ＣＰＵ３１は、モバイル端末記憶部３２に記憶した端末ＩＤを、モバイル端末通信部３４によってサーバ装置１９へ送信する。モバイル端末記憶部３２は、端末ＩＤを予め記憶している。ステップＬ２〜Ｌ６は、図１４に示したステップＥ３〜Ｅ７と同じであり、重複を避けるために説明を省略する。
【０１０９】
サーバＣＰＵ１１は、サーバ装置１０の電源が投入されて、動作可能状態になると、ステップＭ１に移り、コンテンツ購入処理を行うプログラムを実行することができる状態で待機している。
【０１１０】
ステップＭ１では、サーバＣＰＵ１１は、モバイル端末３０から、サーバ通信部１４によって端末ＩＤを受信する。ステップＭ２では、サーバＣＰＵ１１は、端末ＩＤからそのモバイル端末３０を使用するユーザのユーザＩＤを特定する。具体的には、サーバＣＰＵ１１は、サーバ記憶部１２に記憶されるユーザＩＤから、受信した端末ＩＤに関連付けられたユーザＩＤを抽出することによって、ユーザＩＤを特定する。
【０１１１】
ステップＭ３では、サーバＣＰＵ１１はサーバ記憶部１２に記憶される商品ＩＤから、ステップＭ２で特定したユーザＩＤに紐付けられた、つまり関連付けられた商品ＩＤをすべて抽出する。ステップＭ４〜Ｍ１３は、図１４に示したステップＦ３〜Ｆ１２と同じであり、重複を避けるために説明を省略する。
【０１１２】
図１８は、本発明の第３の実施形態であるコンテンツ販売システム１ｂでのクレジットカード登録処理の処理手順を示すフローチャートである。第３の実施形態であるコンテンツ販売システム１ｂは、第１の実施形態であるコンテンツ販売システム１のハードウエア構成と同じハードウエア構成であり、重複を避けるために説明を省略する。図１８，図１９を用いて、第３の実施形態であるコンテンツ販売システム１ｂでの処理を説明する。
【０１１３】
コンテンツ販売システム１ｂでは、クレジットカードの情報をサーバ装置１０に記憶しておき、そのクレジットカードの情報を用いて、購入処理を行う。コンテンツ販売システム１ｂでは、購入処理で、クレジットカード情報をモバイル端末３０からサーバ装置１０に送信することを省略することができる。
【０１１４】
クレジットカード登録処理は、クレジットカード情報４４をモバイル端末３０からサーバ装置１０に記憶する処理である。左側のフローチャートがサーバ装置１０での処理であり、右側のフローチャートがモバイル端末３０での処理である。
【０１１５】
モバイル端末ＣＰＵ３１は、たとえば表示部３６に表示するメニューから、クレジットカードの設定の項目が選択されると、ステップＮ１に移る。ステップＮ１では、モバイル端末ＣＰＵ３１は、図９に示したユーザＩＤ登録画面５１と同様の画面を表示し、ユーザに、店舗から発行されたユーザＩＤおよびパスワードを入力させる。ステップＮ２では、モバイル端末ＣＰＵ３１は、入力されたユーザＩＤおよびパスワードを、ログイン情報４１として、モバイル端末通信部３４によってサーバ装置１９へ送信し、サーバ装置１９にログインする。
【０１１６】
ステップＮ３では、モバイル端末ＣＰＵ３１は、図１１に示したクレジットカード登録画面５４を表示し、ユーザに、クレジットカードの情報を入力させる。ステップＮ４では、モバイル端末ＣＰＵ３１は、入力されたクレジットカードの情報をクレジットカード情報４４として、モバイル端末通信部３４によってサーバ装置１９へ送信し、モバイル端末３０でのクレジットカード登録処理を終了する。
【０１１７】
サーバＣＰＵ１１は、サーバ装置１０の電源が投入されて、動作可能状態になると、ステップＰ１に移り、クレジットカード情報４４を記憶するプログラムを実行することができる状態で待機している。ステップＰ１は、図１４に示したステップＦ１と同じであり、重複を避けるために説明を省略する。
【０１１８】
ステップＰ２では、サーバＣＰＵ１１は、クレジットカード情報４４を、サーバ通信部１４によってモバイル端末３０から受信する。ステップＰ３では、サーバＣＰＵ１１は、ログインしたユーザＩＤと、ステップＰ２で受信したクレジットカード情報４４とを紐付けて、つまり関連付けて、サーバ記憶部１２に記憶し、サーバ装置１０でのクレジットカード登録処理を終了する。
【０１１９】
図１９は、第２の購入処理の処理手順を示すフローチャートである。第２の購入処理は、電子コンテンツの購入の手続を、記憶したクレジットカード情報を用いて行う処理である。左側のフローチャートがサーバ装置１０での処理であり、右側のフローチャートがモバイル端末３０での処理である。
【０１２０】
モバイル端末ＣＰＵ３１は、図１４に示したステップＥ６または図１７に示したステップＬ５が実行されると、ステップＱ１に移る。ステップＱ１では、モバイル端末ＣＰＵ３１は、購入要求、つまり購入要求情報４３を、モバイル端末通信部３４によってサーバ装置１０に送信する。ステップＱ２では、モバイル端末ＣＰＵ３１は、図９に示したユーザＩＤ登録画面５１と同様の画面を表示し、ユーザに、店舗から発行されたユーザＩＤおよびパスワードを入力させる。ステップＱ３では、モバイル端末ＣＰＵ３１は、入力されたパスワードをモバイル端末通信部３４によってサーバ装置１０に送信し、モバイル端末３０での第２の購入処理を終了する。
【０１２１】
サーバＣＰＵ１１は、図１４に示したステップＦ８または図１７に示したステップＭ９が実行されると、ステップＲ１に移る。ステップＲ１では、サーバＣＰＵ１１は、購入要求、つまり購入要求情報４３を、サーバ通信部１４によってモバイル端末３０から受信する。
【０１２２】
ステップＲ２では、サーバＣＰＵ１１は、ユーザのクレジットカード番号を特定する。具体的には、サーバＣＰＵ１１は、サーバ記憶部１２に記憶に記憶されるクレジットカード情報から、図１４に示したステップＦ１でログインしたユーザのユーザＩＤ、または図１７に示したステップＭ２で特定したユーザＩＤに関連付けられたクレジットカード情報を抽出し、抽出したクレジットカード情報のクレジットカード番号を、サーバ記憶部１２から読み出す。
【０１２３】
ステップＲ３では、サーバＣＰＵ１１は、パスワードをサーバ通信部１４によってモバイル端末３０から受信する。サーバＣＰＵ１１は、受信したパスワードが、サーバ記憶部１２に記憶に記憶されるパスワードのうち、図１４に示したステップＦ１でログインしたユーザのユーザＩＤ、または図１７に示したステップＭ２で特定したユーザＩＤに関連付けられているパスワードに一致するか否かによってパスワードの認証を行う。サーバＣＰＵ１１は、一致したとき、ステップＲ４に進み、図には示していないが、一致しないときエラー終了する。
【０１２４】
ステップＲ４では、サーバＣＰＵ１１は、購入手続を行って、サーバ装置１０での第２の購入処理を終了する。購入手続では、電子コンテンツの代金の精算処理が行われる。精算処理は、ステップＲ２で特定したクレジットカード番号を用いて電子コンテンツの代金の精算が行われる。
【０１２５】
図２０は、本発明の第４の実施形態であるコンテンツ販売システム１ｃでの第２のコンテンツ登録処理の処理手順を示すフローチャートである。第４の実施形態であるコンテンツ販売システム１ｃは、第１の実施形態であるコンテンツ販売システム１のハードウエア構成と同じハードウエア構成であり、重複を避けるために説明を省略する。図２０を用いて、第４の実施形態であるコンテンツ販売システム１ｃでの処理を、第１の実施形態であるコンテンツ販売システム１との相違点についてのみ説明する。
【０１２６】
コンテンツ販売システム１ｃでは、店舗端末２０でのユーザＩＤの取得を、会員カードからではなく、モバイル端末３０から行う。コンテンツ販売システム１ｃでは、ユーザは、店舗で会員カードを提示する必要がない。
【０１２７】
第２のコンテンツ登録処理は、ユーザＩＤ、商品ＩＤおよび店ＩＤを、店舗端末２０からサーバ装置１０に登録する処理である。左側のフローチャートがサーバ装置１０での処理であり、中央のフローチャートが店舗端末２０での処理であり、右側のフローチャートがモバイル端末３０での処理である。
【０１２８】
モバイル端末ＣＰＵ３１は、たとえば店舗端末ＣＰＵ２１からユーザＩＤの送信の要求を受信すると、ステップＳ１に移る。ステップＳ１では、モバイル端末ＣＰＵ３１は、モバイル端末記憶部３２に記憶されるユーザＩＤを、モバイル端末通信部３４によって店舗端末ＣＰＵ２１に送信し、モバイル端末３０での第２のコンテンツ登録処理を終了する。
【０１２９】
店舗端末ＣＰＵ２１は、店舗端末２０の電源が投入されて、操作可能状態になるとステップＴ１に進む。ステップＴ１，Ｔ２，Ｔ４，Ｔ６は、図１３に示したステップＣ１，Ｃ２，Ｃ４，Ｃ５と同じであり、重複を避けるために説明を省略する。ステップＴ３では、店舗端末ＣＰＵ２１は、商品コード読取部２５によって、商品ＩＤが読み取られるまで待機している。ユーザが購入を希望する商品を店舗端末２０のところに持っていき、商品コード読取部２５によって、ユーザが購入を希望する商品の商品ＩＤを読み込む操作を行う。
【０１３０】
ステップＴ５では、店舗端末ＣＰＵ２１は、店舗端末通信部２４によって、ユーザＩＤの送信の要求をモバイル端末３０に送信し、送信の要求に応答して、モバイル端末３０から送信されるユーザＩＤを、店舗端末通信部２４によって受信する。
【０１３１】
サーバＣＰＵ１１は、サーバ装置１０の電源が投入されて、動作可能状態になると、ステップＵ１に移り、ユーザＩＤ、商品ＩＤおよび店ＩＤを記憶するプログラムを実行することができる状態で待機している。ステップＵ１，Ｕ２は、図１３に示したステップＤ１，Ｄ２と同じであり、重複を避けるために説明を省略する。
【０１３２】
上述した実施形態では、サーバＣＰＵ１１がサーバ記憶部１２に記憶されるプログラムを実行することによって、店舗端末ＣＰＵ２１が店舗端末記憶部２２に記憶されるプログラムを実行することによって、およびモバイル端末ＣＰＵ３１がモバイル端末記憶部３２に記憶されるプログラムを実行することによって、上述した処理を実行するが、上述した処理を実行するためのプログラムは、サーバ記憶部１２、店舗端末記憶部２２、およびモバイル端末記憶部３２に記憶されることに限定されるものではなく、コンピュータで読取り可能な記録媒体に記録されていてもよい。記録媒体は、たとえば図示しない外部記憶装置としてプログラム読取装置をサーバ装置１０、店舗端末２０およびモバイル端末３０に設け、それらに記録媒体を挿入することによって読取り可能な記録媒体であってもよいし、あるいは他の装置の記憶装置であってもよい。
【０１３３】
いずれの記録媒体であっても、記憶されているプログラムがコンピュータ、たとえばＣＰＵからアクセスされて実行される構成であればよい。あるいはいずれの記録媒体であっても、プログラムが読み出され、読み出されたプログラムが、サーバ記憶部１２、店舗端末記憶部２２、およびモバイル端末記憶部３２のプログラム記憶エリアに記憶されて、そのプログラムが実行される構成であってもよい。
【０１３４】
このように、店舗に設けられ、商品の購入を希望するユーザを特定するためのユーザＩＤと、該ユーザが購入を希望する商品を陳列する店舗を特定するための店ＩＤと、該ユーザが購入を希望する商品を特定するための商品ＩＤとが読み出し可能に保持される店舗端末２０および携帯可能なモバイル端末３０にネットワークを介して接続され、電子コンテンツの販売を行うサーバ装置１０で電子コンテンツの販売を行うにあたって、サーバ通信部１４は、ユーザＩＤと、店ＩＤと、商品ＩＤとを店舗端末２０から取得する。サーバ記憶部１２は、サーバ通信部１４が取得したユーザＩＤと、店ＩＤと、商品ＩＤとを関連付けて記憶する。サーバ通信部１４は、モバイル端末３０から該モバイル端末３０のユーザのユーザＩＤを受信する。サーバＣＰＵ１１は、サーバ記憶部１２に記憶された商品ＩＤから、サーバ通信部１４によって受信されたユーザＩＤに関連付けられた商品ＩＤを抽出する。サーバＣＰＵ１１は、サーバＣＰＵ１１によって抽出された商品ＩＤによって特定される商品と同じ内容の電子コンテンツを特定するためのコンテンツＩＤを特定する。サーバ通信部１４は、サーバＣＰＵ１１によって特定されたコンテンツＩＤをモバイル端末３０に送信する。サーバ通信部１４は、サーバ通信部１４によって送信されたコンテンツＩＤから選択されたコンテンツＩＤを受信する。そして、サーバＣＰＵ１１は、サーバ通信部１４によって受信されたコンテンツＩＤによって特定される電子コンテンツの販売を電子的に行う。したがって、ユーザは、店舗を特定するための特定情報を意識しなくても、商品と同じ内容の電子コンテンツを購入することができる。
【０１３５】
さらに、サーバＣＰＵ１１は、サーバ記憶部１２に記憶される店ＩＤから、サーバＣＰＵ１１によって抽出された商品ＩＤに関連付けられた店ＩＤを抽出する。そして、サーバ記憶部１２は、サーバＣＰＵ１１によって販売された電子コンテンツのコンテンツＩＤと、サーバＣＰＵ１１によって抽出された店ＩＤとを関連付けて記憶する。したがって、サーバ装置１０は、購入された電子コンテンツの代金の一部を還元する店舗を特定することができる。
【０１３６】
さらに、サーバ通信部１４は、モバイル端末３０から該モバイル端末３０を特定するための端末ＩＤを取得する。サーバＣＰＵ１１は、サーバ通信部１４によって取得された端末ＩＤに基づいて、ユーザＩＤを特定する。そして、サーバＣＰＵ１１は、サーバ記憶部１２に記憶された商品ＩＤから、サーバ通信部１４によって受信されたユーザＩＤに代えて、サーバＣＰＵ１１によって特定されたユーザＩＤに関連付けられた商品ＩＤを抽出する。したがって、ユーザは、ユーザＩＤを入力することなく、電子コンテンツを購入することができる。
【０１３７】
さらに、サーバ記憶部１２は、ユーザのクレジットカードに付与されたクレジットカード番号と、ユーザＩＤと、ユーザＩＤの正当性を確認するためのパスワードとを関連付けて記憶する。サーバ通信部１４は、モバイル端末３０からパスワードをさらに受信する。そして、サーバＣＰＵ１１は、サーバ通信部１４が受信したパスワードがサーバ記憶部１２に記憶されるパスワードに一致すると、サーバ記憶部１２に記憶されるクレジットカード番号を用いて、電子コンテンツの代金の精算を行う。したがって、ユーザは、クレジットカード情報を入力することなく、パスワードのみで、購入する電子コンテンツに精算を行うことができる。
【０１３８】
さらに、サーバ通信部１４が取得したユーザＩＤは、店舗端末２０によってユーザに付与され、該ユーザのモバイル端末３０に記憶された情報である。したがって、サーバ装置１０は、店舗から付与されたユーザＩＤをモバイル端末３０から取得することができる。
【０１３９】
さらに、サーバ通信部１４は、モバイル端末３０から該モバイル端末３０の端末ＩＤをユーザＩＤとともに取得する。サーバ記憶部１２は、サーバ通信部１４が取得した端末ＩＤを該端末ＩＤとともに取得したユーザＩＤと関連付けて記憶する。そして、サーバＣＰＵ１１は、サーバ記憶部１２に記憶されるユーザＩＤから、サーバ通信部１４によって取得された端末ＩＤに関連付けられたユーザＩＤを抽出することによって、ユーザＩＤを特定する。したがって、サーバ装置１０は、モバイル端末３０から取得した端末ＩＤから容易にユーザＩＤを特定することができる。
【０１４０】
さらに、サーバＣＰＵ１１は、サーバＣＰＵ１１がコンテンツＩＤを特定することができないとき、商品ＩＤによって特定される商品のタイトルを特定する。したがって、ユーザは、電子コンテンツのない商品についても、商品のタイトルなどの商品に関する情報を知ることができる。
【０１４１】
さらに、サーバ記憶部１２は、商品ＩＤと、該商品ＩＤによって特定される商品と同じ内容の電子コンテンツを特定するためのコンテンツＩＤとを関連付けて記憶する。そして、サーバＣＰＵ１１は、サーバ記憶部１２に記憶されるコンテンツＩＤから、サーバＣＰＵ１１によって抽出された商品ＩＤに関連付けられたコンテンツＩＤを抽出することによって、コンテンツＩＤを特定する。したがって、サーバ装置１０は、商品ＩＤから容易にかつ確実にコンテンツＩＤを特定することができる。
【０１４２】
さらに、店舗端末２０、モバイル端末３０およびサーバ装置１０を含むコンテンツ販売システム１で電子コンテンツの販売を行うにあたって、店舗端末２０では、商品コード読取部２５および図示しない操作部は、ユーザＩＤ、店ＩＤおよび商品ＩＤを取得する。店舗端末記憶部２２は、商品コード読取部２５および図示しない操作部が取得したユーザＩＤと、店ＩＤと、商品ＩＤとを関連付けて記憶する。そして、店舗端末通信部２４は、店舗端末記憶部２２に記憶されるユーザＩＤ、店ＩＤおよび商品ＩＤをサーバ装置１０に送信する。また、モバイル端末３０では、モバイル端末記憶部３２は、ユーザＩＤを記憶する。モバイル端末通信部３４は、モバイル端末記憶部３２に記憶されるユーザＩＤをサーバ装置１０に送信する。モバイル端末通信部３４は、サーバ装置１０から前記選択されたコンテンツＩＤを受信する。表示部３６は、モバイル端末通信部３４によって受信されたコンテンツＩＤを表示する。操作部３７は、表示部３６に表示されたコンテンツＩＤから購入する電子コンテンツのコンテンツＩＤを選択する。そして、モバイル端末通信部３４は、操作部３７によって選択されたコンテンツＩＤをサーバ装置１０に送信する。したがって、ユーザが店舗および商品の特定情報を知らなくても、商品と同じ内容の電子コンテンツを購入することができる。
【０１４３】
さらに、店舗端末２０、モバイル端末３０およびサーバ装置１０を含むコンテンツ販売システム１で電子コンテンツを販売するにあたって、店舗端末２０では、商品コード読取部２５および図示しない操作部は、店ＩＤおよび商品ＩＤを取得する。店舗端末記憶部２２は、商品コード読取部２５および図示しない操作部が取得した、店ＩＤと商品ＩＤとを関連付けて記憶する。店舗端末通信部２４は、モバイル端末３０からユーザＩＤを受信する。そして、店舗端末通信部２４は、店舗端末通信部２４によって受信されたユーザＩＤ、ならびに店舗端末記憶部２２に記憶される店ＩＤおよび商品ＩＤをサーバ装置１０に送信する。また、モバイル端末３０では、モバイル端末記憶部３２は、ユーザＩＤを記憶する。モバイル端末通信部３４は、モバイル端末記憶部３２に記憶されるユーザＩＤを、店舗端末２０およびサーバ装置１０に送信する。モバイル端末通信部３４は、サーバ装置１０から前記選択されたコンテンツＩＤを受信する。表示部３６は、モバイル端末通信部３４によって受信されたコンテンツＩＤを表示する。操作部３７は、表示部３６に表示されたコンテンツＩＤから購入する電子コンテンツのコンテンツＩＤを選択する。そして、モバイル端末通信部３４は、操作部３７によって選択された電子コンテンツＩＤをサーバ装置１０に送信する。したがって、ユーザが店舗を特定するための特定情報を意識しなくても、商品と同じ内容の電子コンテンツを購入することができる。また、ユーザは、店舗でユーザＩＤが記録された会員カードを提示しなくてもよい。
【０１４４】
さらに、店舗に設けられ、商品の購入を希望するユーザを特定するためのユーザＩＤと、該ユーザが購入を希望する商品を陳列する店舗を特定するための店ＩＤと、該ユーザが購入を希望する商品を特定するための商品ＩＤとが読み出し可能に保持される店舗端末２０および携帯可能なモバイル端末３０にネットワークを介して接続され、電子コンテンツの販売を行うサーバ装置１０で実行されるコンテンツ販売方法によって電子コンテンツを販売するにあたって、図１３に示したステップＤ１では、ユーザＩＤと、店ＩＤと、商品ＩＤとを店舗端末２０から取得する。図１３に示したステップＤ２では、図１３に示したステップＤ１で取得したユーザＩＤと、店ＩＤと、商品ＩＤとを関連付けて記憶する。図１４に示したステップＦ１では、モバイル端末３０から該モバイル端末３０のユーザのユーザＩＤを受信する。図１４に示したステップＦ２では、図１３に示したステップＤ２で記憶された商品ＩＤから、図１４に示したステップＦ１で受信されたユーザＩＤに関連付けられた商品ＩＤを抽出する。図１４に示したステップＦ３では、図１４に示したステップＦ２で抽出された商品ＩＤによって特定される商品と同じ内容の電子コンテンツを特定するためのコンテンツＩＤを特定する。図１４に示したステップＦ７では、図１４に示したステップＦ３で特定されたコンテンツＩＤをモバイル端末３０に送信する。図１４に示したステップＦ８では、図１４に示したステップＦ７で送信されたコンテンツＩＤから選択されたコンテンツＩＤを受信する。そして、図１４に示したステップＦ１０では、図１４に示したステップＦ８で受信されたコンテンツＩＤによって特定される電子コンテンツの販売を電子的に行う。したがって、ユーザが店舗を特定するための特定情報を意識しなくても、商品と同じ内容の電子コンテンツを購入することができる。
【０１４５】
さらに、店舗に設けられ、商品の購入を希望するユーザを特定するためのユーザＩＤと、該ユーザが購入を希望する商品を陳列する店舗を特定するための店ＩＤと、該ユーザが購入を希望する商品を特定するための商品ＩＤとが読み出し可能に保持される店舗端末２０および携帯可能なモバイル端末３０にネットワークを介して接続されるコンピュータに、ユーザＩＤと、店ＩＤと、商品ＩＤとを店舗端末２０から取得する図１３に示したステップＤ１と、図１３に示したステップＤ１で取得したユーザＩＤと、店ＩＤと、商品ＩＤとを関連付けて記憶する図１３に示したステップＤ２と、モバイル端末３０から該モバイル端末３０のユーザのユーザＩＤを受信する図１４に示したステップＦ１と、図１３に示したステップＤ２で記憶された商品ＩＤから、図１４に示したステップＦ１で受信されたユーザＩＤに関連付けられた商品ＩＤを抽出する図１４に示したステップＦ２と、図１４に示したステップＦ２で抽出された商品ＩＤによって特定される商品と同じ内容の電子コンテンツを特定するためのコンテンツＩＤを特定する図１４に示したステップＦ３と、図１４に示したステップＦ３で特定されたコンテンツＩＤをモバイル端末３０に送信する図１４に示したステップＦ７と、図１４に示したステップＦ７で送信されたコンテンツＩＤから選択されたコンテンツＩＤを受信する図１４に示したステップＦ８と、図１４に示したステップＦ８で受信されたコンテンツＩＤによって特定される電子コンテンツの販売を電子的に行う図１４に示したステップＦ１０とを実行させて、電子コンテンツの販売を行うサーバ装置１０として機能させるためのプログラムとして提供することができる。
【符号の説明】
【０１４６】
１  コンテンツ販売システム
２  ネットワーク
１０  サーバ装置
１１  サーバＣＰＵ
１２  サーバ記憶部
１３  サーバ一時記憶部
１４  サーバ通信部
２０  店舗端末
２１  店舗端末ＣＰＵ
２２  店舗端末記憶部
２３  店舗端末一時記憶部
２４  店舗端末通信部
２５  商品コード読取部
３０  モバイル端末
３１  モバイル端末ＣＰＵ
３２  モバイル端末記憶部
３３  モバイル端末一時記憶部
３４  モバイル端末通信部
３５  アンテナ
３６  表示部
３７  操作部
【図１】
0005756685.tif 000002
【図２】
0005756685.tif 000003
【図３】
0005756685.tif 000004
【図４】
0005756685.tif 000005
【図５】
0005756685.tif 000006
【図６】
0005756685.tif 000007
【図７】
0005756685.tif 000008
【図８】
0005756685.tif 000009
【図９】
0005756685.tif 000010
【図１０】
0005756685.tif 000011
【図１１】
0005756685.tif 000012
【図１２】
0005756685.tif 000013
【図１３】
0005756685.tif 000014
【図１４】
0005756685.tif 000015
【図１５】
0005756685.tif 000016
【図１６】
0005756685.tif 000017
【図１７】
0005756685.tif 000018
【図１８】
0005756685.tif 000019
【図１９】
0005756685.tif 000020
【図２０】
0005756685.tif 000021